(57)【要約】【課題】定着温度センサで検出できない部分での熱量の蓄積による高温部分が発生するのを防止すること。【解決手段】定着ニップの温度を検出する温度センサＳＮ１，ＳＮ２と、画像記録動作時に温度センサＳＮ１，ＳＮ２により検出される検出温度が所定の加熱定着温度に保持されるように前記ヒータをオン、オフ制御するヒータ制御手段と、画像記録動作時のヒータのオンオフ制御を行った時間に対するヒータオンの時間の割合であるデューティ比ｄを測定するデューティ比測定手段と、前記デューティ比に対する閾値ｄ０を記憶するデューティ比閾値記憶手段Ｃ４Ｃと、測定したデューティ比ｄがデューティ比閾値ｄ０よりも小さい場合に前記定着装置が過熱状態になるのを防止するように前記定着装置の動作を制御する冷却動作実行手段Ｃ７とを備えた画像形成装置。【選択図】    図５
2004354416.tif 000002
【特許請求の範囲】
【請求項１】
下記の構成要件（Ａ０１）〜（Ａ０６）を備えたことを特徴とする画像形成装置、
（Ａ０１）互いに圧接しながら回転し且つ互いに圧接する部分により定着ニップを形成する一対の定着用回転部材と、前記定着ニップを加熱する発熱量分布または加熱範囲が異なる複数のヒータであって設定されたシート幅未満の小サイズシートの定着時に必ず使用される小サイズシート用ヒータおよび設定されたシート幅を越える大サイズシートの定着時に必ず使用される大サイズシート用ヒータ（ｈ２）を含む前記複数のヒータとを有し、前記定着ニップを通過するシート上に形成されている未定着トナー像を加熱定着する定着装置、
（Ａ０２）未定着トナー像が形成されたシートである未定着シートを前記定着ニップに搬送するシート搬送装置、
（Ａ０３）前記定着用回転部材表面の最小幅シートの通紙域の温度を検出する第１温度センサおよび定着用回転部材の前記小サイズシートの通紙域から離れた部分の表面温度を検出する第２温度センサを含む複数の温度センサ、
（Ａ０４）画像記録動作時に前記第１温度センサの検出温度が所定の加熱定着温度に保持されるように前記複数のヒータを選択点灯させるヒータ制御手段、
（Ａ０５）画像記録動作時に所定の期間経過する度に前記複数のヒータの中の１以上のヒータの点灯時間を検出する点灯時間検出手段、
（Ａ０６）前記検出されたヒータの点灯時間に応じて前記定着装置が過熱状態になるのを防止するように前記定着装置の動作を制御する冷却動作実行手段。
【請求項２】
下記の構成要件（Ａ０７），（Ａ０８）を備えたことを特徴とする請求項１記載の画像形成装置、
（Ａ０７）設定されたシート幅未満の小サイズシートの通紙域の幅とほぼ等しい長さの発熱部分を有する前記小サイズシート用ヒータ（ｈ１）および最大シート幅のシートの通紙域の幅とほぼ等しい長さの発熱部分を有する前記大サイズシート用ヒータ（ｈ２）とを有する前記複数のヒータ（ｈ１，ｈ２）、
（Ａ０８））ヒータ（ｈ１，ｈ２）の点灯時に、第２温度センサ（ＳＮ２）の検出温度が所定値未満の場合には大サイズシート用ヒータ（ｈ２）を選択して点灯し、所定値よりも高い場合には小サイズシート用ヒータ（ｈ１）を選択して点灯する前記ヒータ制御手段（Ｃ８）。
【請求項３】
下記の（Ａ０９），（Ａ０１０）を備えたことを特徴とする請求項１または請求項２記載の画像形成装置、
（Ａ０９）小サイズシートの幅よりも広く最大サイズ幅シートのシート幅よりも狭く設定された中間サイズ幅の中間サイズシートの通紙域の幅とほぼ等しい長さの発熱部分を有する前記中間サイズシート用ヒータ（ｈ３）を有する前記複数のヒータ（ｈ１，ｈ２，ｈ３）、
（Ａ０１０））前記中間幅シートを定着する際のヒータ（ｈ１，ｈ２，ｈ３）の点灯時に、第２温度センサ（ＳＮ２）の検出温度が所定値未満の場合には中間幅シート用ヒータ（ｈ３）を選択して点灯し、所定値よりも高い場合には小サイズシート用ヒータ（ｈ１）を選択して点灯する前記ヒータ制御手段（Ｃ８）。
【請求項４】
下記の構成要件（Ａ０９），（Ａ０１１），（Ａ０１２）を備えたことを特徴とする請求項１または請求項２記載の画像形成装置、
（Ａ０９）小サイズシートの幅よりも広く最大サイズ幅シートのシート幅よりも狭く設定された中間サイズ幅の中間サイズシートの通紙域の幅とほぼ等しい長さの発熱部分を有する前記中間サイズシート用ヒータ（ｈ３）を有する前記複数のヒータ（ｈ１，ｈ２，ｈ３）、
（Ａ０１１）前記定着用回転部材（Ｆｈ，Ｆｐ）表面の中間幅シートの通紙域の幅方向外端部の温度を検出する第３温度センサ（ＳＮ３）および定着用回転部材（Ｆｈ，Ｆｐ）の前記中間サイズシートの通紙域から離れた部分の表面温度を検出する前記第２温度センサを含む前記複数の温度センサ（ＳＮ１，ＳＮ２，ＳＮ３）、
（Ａ０１２））前記中間幅シートを定着する際のヒータ（ｈ１，ｈ２，ｈ３）の点灯時に、第３温度センサ（ＳＮ３）の検出温度が所定値未満の場合には中間幅シート用ヒータ（ｈ３）を選択して点灯し、所定値よりも高い場合には小サイズシート用ヒータ（ｈ１）を選択して点灯する前記ヒータ制御手段（Ｃ８）。
【請求項５】
下記の構成要件（Ａ０１３），（Ａ０１４）を備えたことを特徴とする請求項１または２記載の画像形成装置、
（Ａ０１３）設定されたシート幅未満の小サイズシートの通紙域の幅とほぼ等しい長さの発熱部分を有する前記小サイズシート用ヒータ（ｈ１）および最大シート幅のシートの通紙域内であって前記小サイズシートの通紙域以外の領域に対応して配置された発熱部分を有する前記大サイズシート用ヒータ（ｈ２）とを有する前記複数のヒータ（ｈ１，ｈ２）。
（Ａ０１４）ヒータ（ｈ１，ｈ２）の点灯時に、第２温度センサ（ＳＮ２）の検出温度が所定値未満の場合には大サイズシート用ヒータ（ｈ２）および小サイズシート用ヒータ（ｈ１）を同時に選択して点灯し、所定値よりも高い場合には小サイズシート用ヒータ（ｈ１）のみを選択して点灯する前記ヒータ制御手段（Ｃ８）。
【請求項６】
下記の構成要件（Ａ０１５）を備えたことを特徴とする請求項１ないし５のいずれか記載の画像形成装置、
（Ａ０１５）ヒータの点灯時に充電され且つ非点灯時に放電するヒータ点灯時間検出用コンデンサを有するタンク回路により構成された前記点灯時間検出手段。
【請求項７】
下記の構成要件（Ａ０１６）〜（Ａ０１９）を備えたことを特徴とする請求項１ないし６のいずれかにまたは２記載の画像形成装置、
（Ａ０１６）小サイズシート用ヒータおよび大サイズシート用ヒータの２個のヒータのみを有する前記複数のヒータ、
（Ａ０１７）前記定着用回転部材表面の最小幅シートが通過する部分の温度を検出する第１温度センサおよび定着用回転部材の最小幅シートが通過しない部分の温度を検出する第２温度センサの２個の温度センサのみを有する前記複数の温度センサ、
（Ａ０１８）画像記録動作時に所定の期間経過する度に前記小サイズシート用ヒータの点灯時間および大サイズシート用ヒータの点灯時間を検出する前記点灯時間検出手段、
（Ａ０１９）前記小サイズシート用ヒータの検出点灯時間をｔａ、大サイズシート用ヒータの検出点灯時間をｔｂとした場合に、（ｔａ＋ｔｂ）に対するｔａまたはｔｂの割合が設定値から外れた場合に、前記定着装置が過熱状態になるのを防止するように前記定着装置の動作を制御する前記冷却動作実行手段。
【請求項８】
下記の構成要件（Ａ０１６）〜（Ａ０１８），（Ａ０２０）を備えたことを特徴とする請求項１ないし６のいずれか記載の画像形成装置、
（Ａ０１６）小サイズシート用ヒータおよび大サイズシート用ヒータの２個のヒータのみを有する前記複数のヒータ、
（Ａ０１７）前記定着用回転部材表面の最小幅シートが通過する部分の温度を検出する第１温度センサおよび定着用回転部材の小サイズシート用ヒータより外側部分の表面温度を検出する第２温度センサの２個の温度センサのみを有する前記複数の温度センサ、
（Ａ０１８）画像記録動作時に所定の期間経過する度に前記小サイズシート用ヒータの点灯時間および大サイズシート用ヒータの点灯時間を検出する前記点灯時間検出手段、
（Ａ０２０）前記所定の期間をｔｃ、小サイズシート用ヒータの検出点灯時間をｔａ、大サイズシート用ヒータの検出点灯時間をｔｂとした場合に、ｔｃに対する、（ｔａ＋ｔｂ）、ｔａまたはｔｂのいずれかの割合が設定値から外れた場合に、前記定着装置が過熱状態になるのを防止するように前記定着装置の動作を制御する前記冷却動作実行手段。
【請求項９】
下記の構成要件（Ａ０１６）〜（Ａ０１８），（Ａ０２１）を備えたことを特徴とする請求項１ないし６のいずれか記載の画像形成装置、
（Ａ０１６）小サイズシート用ヒータおよび大サイズシート用ヒータの２個のヒータのみを有する前記複数のヒータ、
（Ａ０１７）前記定着用回転部材表面の最小幅シートが通過する部分の温度を検出する第１温度センサおよび定着用回転部材の小サイズシート用ヒータより外側部分の表面温度を検出する第２温度センサの２個の温度センサのみを有する前記複数の温度センサ、
（Ａ０１８）画像記録動作時に所定の期間経過する度に前記小サイズシート用ヒータの点灯時間および大サイズシート用ヒータの点灯時間を検出する前記点灯時間検出手段、
（Ａ０２１）前記所定の期間をｔｃ、小サイズシート用ヒータの検出点灯時間をｔａ、大サイズシート用ヒータの検出点灯時間をｔｂとした場合に、ｔａおよびｔｂの中の一方の検出時間に対する他方の検出時間の比の値が設定値から外れた場合に、前記定着装置が過熱状態になるのを防止するように前記定着装置の動作を制御する前記冷却動作実行手段。
【請求項１０】
下記の構成要件（Ａ０２２）を備えたことを特徴とする請求項１ないし９のいずれか記載の画像形成装置、
（Ａ０２２）連続して給紙されるシートがシート搬送路中の所定の設定位置を所定枚数通過する期間が設定された前記所定期間。
【請求項１１】
下記の構成要件（Ａ０２３）を備えたことを特徴とする請求項１ないし９のいずれか記載の画像形成装置、
（Ａ０２３）画像記録動作時に一定時間経過する度に区切られて設定された前記所定期間。
【請求項１２】
下記の構成要件（Ａ０２４）を備えたことを特徴とする請求項１ないし９のいずれか記載の画像形成装置、
（Ａ０２４）複数の前記所定期間の中の連続する前の所定期間とその後の所定期間とは前の所定期間の終了時刻と後の所定期間の開始時刻とが一致している前記複数の所定期間。
【請求項１３】
下記の構成要件（Ａ０２５）を備えたことを特徴とする請求項１ないし９のいずれか記載の画像形成装置、
（Ａ０２５）複数の前記所定期間の中の連続する前の所定期間とその後の所定期間とは前の所定期間の終了時刻に対し、後の所定期間の開始時刻が遅れて設定されている前記複数の所定期間。
【請求項１４】
下記の構成要件（Ａ０２６）を備えたことを特徴とする請求項１ないし９のいずれか記載の画像形成装置、
（Ａ０２６）複数の前記所定期間の中の連続する前の所定期間とその後の所定期間とは前の所定期間の終了時刻に対し、後の所定期間の開始時刻が前に設定されている前記複数の所定期間。
【請求項１５】
下記の構成要件（Ａ０２７）を備えたことを特徴とする請求項１ないし１４のいずれか記載の画像形成装置、
（Ａ０２７）前記複数のヒータをオフまたは定着動作中よりも低い温度に制御して定着用回転部材を回転させることにより定着用回転部材の温度を低下させる前記冷却動作実行手段。
【請求項１６】
下記の構成要件（Ａ０２８）を備えたことを特徴とする請求項１ないし１４のいずれか記載の画像形成装置、
（Ａ０２８）前記シートの搬送間隔を長くすることにより定着用回転部材の温度を低下させる前記冷却動作実行手段。
【請求項１７】
下記の構成要件（Ａ０２９）を備えたことを特徴とする請求項１ないし１４のいずれか記載の画像形成装置、
（Ａ０２９）画像記録動作の速度を低下させることにより定着用回転部材の温度を低下させる前記冷却動作実行手段。
【発明の詳細な説明】
【０００１】
【発明の属する技術分野】
本発明は、シート上に未定着トナー像を形成し、前記未定着トナー像が形成された未定着シートを、互いに圧接しながら回転する一対の定着用回転部材を有する定着装置に搬送し、前記一対の定着用回転部材の圧接領域により形成される定着ニップを通過する未定着シート上の未定着トナー像を加熱定着する画像形成装置に関し、特に、定着用回転部材の温度が上昇して過熱状態となるのを効果的に防止することが可能な画像形成装置に関する。
本発明は、電子写真方式の複写機、プリンタ、ファクシミリ等の画像形成装置で使用される。
【０００２】
【従来の技術】
前記種類の従来の画像形成装置においては、前記定着ニップの温度をシート上の未定着トナー像を定着するのに適した温度に制御するため、定着ニップの中央部や端部などに配置した温度センサの検出温度が所定の範囲内になるように、定着用のヒータをオンオフ制御している。
前記種類の画像形成装置では、前記温度センサを配置した部分の温度が高温になるのを防止することができるが、温度センサが配置されていない部分の温度が高温に上昇している場合にはその高温状態を検出することが不可能である。
【０００３】
【発明が解決しようとする課題】
前記定着ニップの温度制御を行う際に通紙範囲に配置された温度センサの検出温度のみによりヒータをオンオフする従来の温度制御方法では、幅の狭いシートを連続プリントした場合、前記温度センサでは検出できない部分（温度センサが配置されていない部分）の温度が過熱状態となって高温となり、場合によっては定着用回転部材や周辺の部品が損傷するおそれがあった。
【０００４】
これを回避するために、特開平８−２８６５５２号公報や特許第１７８９１９７のように配熱パターンの異なる２つのヒータを設けて、これを軸方向の異なる位置に配置された２つの温度センサの検出温度で点灯制御することにより、過熱状態を防ぐ技術が発明されていた。
しかしこのような発明を用いても、２つの温度センサの中間部分が過熱するようなケースが発生し、完全とは言えなかった。
【０００５】
従来、大サイズシート用ヒータおよび小サイズシート用ヒータを使用して、小サイズシート用ヒータのサイズとほぼ同サイズ以下のシート（小サイズシート）を定着する際には小サイズシート用ヒータを使用し、小サイズシート用ヒータのサイズよりも大きいサイズのシート（大サイズシート）を定着する際には、小サイズシート用ヒータおよび大サイズシート用ヒータを使用する画像形成装置において、給紙トレイに収容した定型サイズ以外のシートまたは手差トレイから給紙するシートのサイズを設定する機能を備えた画像形成装置が知られている。
前記種類の画像形成装置において、実際には小サイズシート用ヒータのサイズ以下の小サイズシート（例えば幅８０ｍｍのシート）を使用する際に、誤操作により、大サイズシートのサイズを設定した場合、本来ならば小サイズシート用ヒータのみで定着動作を行うべきであるのに、小サイズシート用ヒータおよび大サイズシート用ヒータの両ヒータを交互にに点灯することになる。
【０００６】
その場合、定着ニップの中央部および端部にそれぞれ温度センサを配置して、中央部の温度センサの検出温度が所定範囲となるようにヒータをオンオフ制御し、且つ端部温度センサの温度が所定値以下の場合に大サイズシート用ヒータを使用し、所定値以上の場合に小サイズシート用ヒータを使用しているときに、第１温度センサの位置と第２温度センサの位置との中間部分の温度が高温になって前記中間部分に熱量が蓄積される。
本発明者の研究によれば、前記中間部分に熱量が蓄積されてくると、小サイズシート用ヒータがオンの時間をｔａ、大サイズシート用ヒータがオンの時間をｔｂとすると、ｔｂ／（ｔａ＋ｔｂ）の値が、シートサイズが適切に設定している場合に比較して、小さくなっていることが分かった。
したがって、定着ニップの温度制御中のヒータオンの時間（ｔａ＋ｔｂ）に対する大サイズシート用ヒータオンの時間（ｔｂ）の比（以下制御用デューティ比という）が、設定値よりも小さくなったときに、定着ニップを冷却する処理を実行することにより、定着温度センサで検出できない部分での熱量の蓄積による高温部分が発生するのを防止することができる。
【０００７】
本発明は、前述の事情に鑑み、次の記載内容（Ｏ０１）を技術的課題とする。
（Ｏ０１）定着温度センサで検出できない部分での熱量の蓄積による高温部分が発生するのを防止すること。
【０００８】
【課題を解決するための手段】
次に、前記課題を解決した本発明を説明するが、本発明の要素には、後述の実施の形態の要素との対応を容易にするため、実施の形態の要素の符号をカッコで囲んだものを付記する。また、本発明を後述の実施の形態の符号と対応させて説明する理由は、本発明の理解を容易にするためであり、本発明の範囲を実施の形態に限定するためではない。
【０００９】
（第１発明）
前記課題を解決するために、第１発明の画像形成装置は、下記の構成要件（Ａ０１）〜（Ａ０１５）を備えたことを特徴とする。
（Ａ０１）互いに圧接しながら回転し且つ互いに圧接する部分により定着ニップ（Ｑ５）を形成する一対の定着用回転部材（Ｆｈ，Ｆｐ）と、前記定着ニップ（Ｑ５）を加熱する発熱量分布または加熱範囲が異なる複数のヒータ（ｈ１，ｈ２）であって設定されたシート幅未満の小サイズシートの定着時に必ず使用される小サイズシート用ヒータ（ｈ１）および設定されたシート幅を越える大サイズシートの定着時に必ず使用される大サイズシート用ヒータ（ｈ２）を含む前記複数のヒータ（ｈ１，ｈ２）とを有し、前記定着ニップ（Ｑ５）を通過するシート上に形成されている未定着トナー像を加熱定着する定着装置（Ｆ）、
（Ａ０２）未定着トナー像が形成されたシートである未定着シートを前記定着ニップ（Ｑ５）に搬送するシート搬送装置（ＳＨ）、
（Ａ０３）前記定着用回転部材（Ｆｈ，Ｆｐ）表面の最小幅シートの通紙域の温度を検出する第１温度センサ（ＳＮ１）および定着用回転部材（Ｆｈ，Ｆｐ）の前記小サイズシートの通紙域から離れた部分の表面温度を検出する第２温度センサ（ＳＮ２）を含む複数の温度センサ（ＳＮ１，ＳＮ２）、
（Ａ０４）画像記録動作時に前記第１温度センサ（ＳＮ１）の検出温度（Ｔ１）が所定の加熱定着温度（Ｔ１ｊａ≦Ｔ１≦Ｔ１ｊｂ）に保持されるように前記複数のヒータ（ｈ１，ｈ２）を選択点灯させるヒータ制御手段（Ｃ８）、
（Ａ０５）画像記録動作時に所定の期間（ｔｃ）経過する度に前記複数のヒータ（ｈ１，ｈ２）の中の１以上のヒータ（ｈ１，ｈ２）の点灯時間（ｔａ，ｔｂ）を検出する点灯時間検出手段（ＴＭａ，ＴＭｂ）
（Ａ０６）前記検出されたヒータ（ｈ１，ｈ２）の点灯時間（ｔａ，ｔｂ）に応じて前記定着装置（Ｆ）が過熱状態になるのを防止するように前記定着装置（Ｆ）の動作を制御する冷却動作実行手段（Ｃ７）。
【００１０】
（第１発明の作用）
前記構成要件（Ａ０１）〜（Ａ０１５）を備えた第１発明の画像形成装置では、互いに圧接しながら回転し且つ互いに圧接する部分により定着ニップ（Ｑ５）を形成する一対の定着用回転部材（Ｆｈ，Ｆｐ）と前記定着ニップ（Ｑ５）を加熱する発熱量分布または加熱範囲が異なる複数のヒータ（ｈ１，ｈ２）であって設定されたシート幅未満の小サイズシートの定着時に必ず使用される小サイズシート用ヒータ（ｈ１）および設定されたシート幅を越える大サイズシートの定着時に必ず使用される大サイズシート用ヒータ（ｈ２）を含む前記複数のヒータ（ｈ１，ｈ２）とを有する定着装置（Ｆ）は、前記定着ニップ（Ｑ５）を通過するシート上に形成されている未定着トナー像を加熱定着する。シート搬送装置（ＳＨ）は、未定着トナー像が形成されたシートである未定着シートを前記定着ニップ（Ｑ５）に搬送する。
複数の温度センサ（ＳＮ１，ＳＮ２）の中の第１温度センサ（ＳＮ１）は、前記定着用回転部材（Ｆｈ，Ｆｐ）表面の最小幅シートの通紙域の温度を検出し、第２温度センサ（ＳＮ２）は定着用回転部材（Ｆｈ，Ｆｐ）の小サイズシートの通紙域から離れた部分の表面温度を検出する。
ヒータ制御手段（Ｃ８）は、画像記録動作時に前記第１温度センサ（ＳＮ１）の検出温度（Ｔ１）が所定の加熱定着温度（Ｔ１ｊａ≦Ｔ１≦Ｔ１ｊｂ）に保持されるように前記複数のヒータ（ｈ１，ｈ２）を選択点灯する。
点灯時間検出手段（ＴＭａ，ＴＭｂ）は、画像記録動作時に所定の期間（ｔｃ）経過する度に前記複数のヒータ（ｈ１，ｈ２）の中の１以上のヒータ（ｈ１，ｈ２）の点灯時間（ｔａ，ｔｂ）を検出する。
冷却動作実行手段（Ｃ７）は、前記検出されたヒータ（ｈ１，ｈ２）の点灯時間（ｔａ，ｔｂ）に応じて前記定着装置（Ｆ）が過熱状態になるのを防止するように前記定着装置（Ｆ）の動作を制御する。
【００１１】
前記第１発明の画像形成装置は、下記の構成要件（Ａ０７），（Ａ０８）を備えることが可能である。
（Ａ０７）設定されたシート幅未満の小サイズシートの通紙域の幅とほぼ等しい長さの発熱部分を有する前記小サイズシート用ヒータ（ｈ１）および最大シート幅のシートの通紙域の幅とほぼ等しい長さの発熱部分を有する前記大サイズシート用ヒータ（ｈ２）とを有する前記複数のヒータ（ｈ１，ｈ２）、
（Ａ０８））ヒータ（ｈ１，ｈ２）の点灯時に、第２温度センサ（ＳＮ２）の検出温度が所定値未満の場合には大サイズシート用ヒータ（ｈ２）を選択して点灯し、所定値よりも高い場合には小サイズシート用ヒータ（ｈ１）を選択して点灯する前記ヒータ制御手段（Ｃ８）。
前記構成要件（Ａ０７），（Ａ０８）を備えた画像形成装置では、前記ヒータ制御手段（Ｃ８）は、ヒータ（ｈ１，ｈ２）の点灯時に、第２温度センサ（ＳＮ２）の検出温度が所定値以下の場合には大サイズシート用ヒータ（ｈ２）を選択して点灯し、所定値よりも高い場合には小サイズシート用ヒータ（ｈ１）を選択して点灯する。
【００１２】
前記構成要件（Ａ０７），（Ａ０８）を備えた画像形成装置は、下記の構成要件（Ａ０９），（Ａ０１０）を備えることが可能である。
（Ａ０９）小サイズシートの幅よりも広く最大サイズ幅シートのシート幅よりも狭く設定された中間サイズ幅の中間サイズシートの通紙域の幅とほぼ等しい長さの発熱部分を有する前記中間サイズシート用ヒータ（ｈ３）を有する前記複数のヒータ（ｈ１，ｈ２，ｈ３）、
（Ａ０１０））前記中間幅シートを定着する際のヒータ（ｈ１，ｈ２，ｈ３）の点灯時に、第２温度センサ（ＳＮ２）の検出温度が所定値未満の場合には中間幅シート用ヒータ（ｈ３）を選択して点灯し、所定値よりも高い場合には小サイズシート用ヒータ（ｈ１）を選択して点灯する前記ヒータ制御手段（Ｃ８）。
前記構成要件（Ａ０９），（Ａ０１０）を備えた画像形成装置では、前記ヒータ制御手段（Ｃ８）は、前記中間サイズ幅よりも小さく且つ前記小サイズ幅よりも大きい幅の中間サイズシートを定着する際のヒータ（ｈ１，ｈ２，（ｈ３））の点灯時に、第２温度センサ（ＳＮ２）の検出温度が所定値以下の場合には中間幅シート用ヒータ（ｈ３）を選択して点灯し、所定値よりも高い場合には小サイズシート用ヒータ（ｈ１）を選択して点灯する。
なお、前記ヒータ制御手段（Ｃ８）は、前記中間サイズ幅よりも大きい大サイズシートを定着する際のヒータ（ｈ１，ｈ２，（ｈ３））の点灯時に、第２温度センサ（ＳＮ２）の検出温度が所定値以下の場合には大サイズシート用ヒータ（ｈ２）を選択して点灯し、所定値よりも高い場合には小サイズシート用ヒータ（ｈ１）または中間サイズシート用ヒータ（ｈ３）のいずれかを選択して点灯するように構成することができる。
【００１３】
前記構成要件（Ａ０７），（Ａ０８）を備えた画像形成装置は、下記の構成要件（Ａ０９），（Ａ０１１），（Ａ０１２）を備えることが可能である。
（Ａ０９）小サイズシートの幅よりも広く最大サイズ幅シートのシート幅よりも狭く設定された中間サイズ幅の中間サイズシートの通紙域の幅とほぼ等しい長さの発熱部分を有する前記中間サイズシート用ヒータ（ｈ３）を有する前記複数のヒータ（ｈ１，ｈ２，ｈ３）、
（Ａ０１１）前記定着用回転部材（Ｆｈ，Ｆｐ）表面の中間幅シートの通紙域の幅方向外端部の温度を検出する第３温度センサ（ＳＮ３）および定着用回転部材（Ｆｈ，Ｆｐ）の前記中間サイズシートの通紙域から離れた部分の表面温度を検出する前記第２温度センサを含む前記複数の温度センサ（ＳＮ１，ＳＮ２，ＳＮ３）、
（Ａ０１２））前記中間幅シートを定着する際のヒータ（ｈ１，ｈ２，ｈ３）の点灯時に、第３温度センサ（ＳＮ３）の検出温度が所定値未満の場合には中間幅シート用ヒータ（ｈ３）を選択して点灯し、所定値よりも高い場合には小サイズシート用ヒータ（ｈ１）を選択して点灯する前記ヒータ制御手段（Ｃ８）。
前記構成要件（Ａ０９），（Ａ０１１），（Ａ０１２）を備えた画像形成装置では、前記ヒータ制御手段（Ｃ８）は、前記中間サイズ幅よりも小さく且つ前記小サイズ幅よりも大きい幅の中間サイズシートを定着する際のヒータ（ｈ１，ｈ２，ｈ３）の点灯時に、第３温度センサ（ＳＮ３）の検出温度が所定値以下の場合には中間幅シート用ヒータ（ｈ３）を選択して点灯し、所定値よりも高い場合には小サイズシート用ヒータ（ｈ１）を選択して点灯する。
なお、前記ヒータ制御手段（Ｃ８）は、前記中間サイズ幅よりも大きい大サイズシートを定着する際のヒータ（ｈ１，ｈ２，（ｈ３））の点灯時に、第２温度センサ（ＳＮ２）の検出温度が所定値以下の場合には大サイズシート用ヒータ（ｈ２）を選択して点灯し、所定値よりも高い場合には小サイズシート用ヒータ（ｈ１）または中間サイズシート用ヒータ（ｈ３）のいずれかを選択して点灯するように構成することができる。
【００１４】
前記第１発明の画像形成装置は、下記の構成要件（Ａ０１３），（Ａ０１４）を備えることが可能である。
（Ａ０１３）設定されたシート幅未満の小サイズシートの通紙域の幅とほぼ等しい長さの発熱部分を有する前記小サイズシート用ヒータ（ｈ１）および最大シート幅のシートの通紙域内であって前記小サイズシートの通紙域以外の領域に対応して配置された発熱部分を有する前記大サイズシート用ヒータ（ｈ２）とを有する前記複数のヒータ（ｈ１，ｈ２）。
（Ａ０１４）ヒータ（ｈ１，ｈ２）の点灯時に、第２温度センサ（ＳＮ２）の検出温度が所定値未満の場合には大サイズシート用ヒータ（ｈ２）および小サイズシート用ヒータ（ｈ１）を同時に選択して点灯し、所定値よりも高い場合には小サイズシート用ヒータ（ｈ１）のみを選択して点灯する前記ヒータ制御手段（Ｃ８）。
前記構成要件（Ａ０１３），（Ａ０１４）を備えた画像形成装置では、前記ヒータ制御手段（Ｃ８）は、ヒータ（ｈ１，ｈ２）の点灯時に、第２温度センサ（ＳＮ２）の検出温度が所定値未満の場合には大サイズシート用ヒータ（ｈ２）および小サイズシート用ヒータ（ｈ１）を同時に選択して点灯し、所定値よりも高い場合には小サイズシート用ヒータ（ｈ１）のみを選択して点灯する。
【００１５】
前記第１発明の画像形成装置は、下記の構成要件（Ａ０１５）を備えることが可能である。
（Ａ０１５）ヒータ（ｈ１，ｈ２）の点灯時に充電され且つ非点灯時に放電するヒータ点灯時間検出用コンデンサを有するタンク回路により構成された前記点灯時間検出手段。
前記構成要件（Ａ０１５）を備えた第１発明の画像形成装置では、前記点灯時間検出手段はのヒータ点灯時間検出用コンデンサの充電電圧の検出値からヒータ（ｈ１，ｈ２）の点灯時間（ｔａ，ｔｂ）を検出する。
【００１６】
前記第１発明の画像形成装置は、下記の構成要件（Ａ０１６）〜（Ａ０１９）を備えることが可能である。
（Ａ０１６）小サイズシート用ヒータ（ｈ１）および大サイズシート用ヒータ（ｈ２）の２個のヒータ（ｈ１，ｈ２）のみを有する前記複数のヒータ（ｈ１，ｈ２）、
（Ａ０１７）前記定着用回転部材（Ｆｈ，Ｆｐ）表面の最小幅シートが通過する部分の温度を検出する第１温度センサ（ＳＮ１）および定着用回転部材（Ｆｈ，Ｆｐ）の小サイズシート用ヒータより外側部分の表面温度を検出する第２温度センサ（ＳＮ２）の２個の温度センサ（ＳＮ１，ＳＮ２）のみを有する前記複数の温度センサ（ＳＮ１，ＳＮ２）、
（Ａ０１８）画像記録動作時に所定の期間（Ｔｃ）経過する度に前記小サイズシート用ヒータ（ｈ１）の点灯時間（ｔａ）および大サイズシート用ヒータ（ｈ２）の点灯時間（ｔｂ）を検出する前記点灯時間検出手段（ＴＭａ，ＴＭｂ）、
（Ａ０１９）前記小サイズシート用ヒータ（ｈ１）の検出点灯時間をｔａ、大サイズシート用ヒータ（ｈ２）の検出点灯時間をｔｂとした場合に、（ｔａ＋ｔｂ）に対するｔａまたはｔｂの割合が設定値から外れた場合に、前記定着装置が過熱状態になるのを防止するように前記定着装置の動作を制御する前記冷却動作実行手段（Ｃ７）。
【００１７】
前記構成要件（Ａ０１６）〜（Ａ０１９）を備えた第１発明の画像形成装置では、第１温度センサ（ＳＮ１）は前記定着用回転部材（Ｆｈ，Ｆｐ）表面の最小幅シートが通過する部分の温度を検出し、第２温度センサ（ＳＮ２）は定着用回転部材（Ｆｈ，Ｆｐ）の小サイズシート用ヒータより外側部分の表面温度を検出する。
前記ヒータ制御手段（Ｃ８）は、画像記録動作時に前記第１温度センサ（ＳＮ１）の検出温度（Ｔ１）が所定の加熱定着温度（Ｔ１ｊａ≦Ｔ１≦Ｔ１ｊｂ）に保持されるように前記小サイズシート用ヒータ（ｈ１）および大サイズシート用ヒータ（ｈ２）を選択点灯する。
前記点灯時間検出手段（ＴＭａ，ＴＭｂ）は、画像記録動作時に所定の期間（ｔｃ）経過する度に前記小サイズシート用ヒータ（ｈ１）の点灯時間（ｔａ）および大サイズシート用ヒータ（ｈ２）の点灯時間（ｔｂ）を検出する。
前記冷却動作実行手段（Ｃ７）は、前記小サイズシート用ヒータ（ｈ１）の検出点灯時間をｔａ、大サイズシート用ヒータ（ｈ２）の検出点灯時間をｔｂとした場合に、（ｔａ＋ｔｂ）に対するｔａまたはｔｂの割合が設定値から外れた場合に、前記定着装置が過熱状態になるのを防止するように前記定着装置の動作を制御する。
【００１８】
前記第１発明の画像形成装置は、下記の構成要件（Ａ０１６）〜（Ａ０１８），（Ａ０２０）を備えることが可能である。
（Ａ０１６）小サイズシート用ヒータ（ｈ１）および大サイズシート用ヒータ（ｈ２）の２個のヒータ（ｈ１，ｈ２）のみを有する前記複数のヒータ（ｈ１，ｈ２）、
（Ａ０１７）前記定着用回転部材（Ｆｈ，Ｆｐ）表面の最小幅シートが通過する部分の温度を検出する第１温度センサ（ＳＮ１）および定着用回転部材（Ｆｈ，Ｆｐ）の小サイズシート用ヒータより外側部分の表面温度を検出する第２温度センサ（ＳＮ２）の２個の温度センサのみを有する前記複数の温度センサ（ＳＮ１，ＳＮ２）、
（Ａ０１８）画像記録動作時に所定の期間（ｔｃ）経過する度に前記小サイズシート用ヒータ（ｈ１）の点灯時間（ｔａ）および大サイズシート用ヒータ（ｈ２）の点灯時間（ｔｂ）を検出する前記点灯時間検出手段（ＴＭａ，ＴＭｂ）、
（Ａ０２０）前記所定の期間をｔｃ、小サイズシート用ヒータ（ｈ１）の検出点灯時間をｔａ、大サイズシート用ヒータ（ｈ２）の検出点灯時間をｔｂとした場合に、ｔｃに対する、（ｔａ＋ｔｂ）、ｔａまたはｔｂのいずれかの割合が設定値から外れた場合に、前記定着装置が過熱状態になるのを防止するように前記定着装置の動作を制御する前記冷却動作実行手段（Ｃ７）。
【００１９】
前記構成要件（Ａ０１６）〜（Ａ０１８），（Ａ０２０）を備えた第１発明の画像形成装置では、前記冷却動作実行手段（Ｃ７）は、前記所定の期間をｔｃ、小サイズシート用ヒータ（ｈ１）の検出点灯時間をｔａ、大サイズシート用ヒータ（ｈ２）の検出点灯時間をｔｂとした場合に、ｔｃに対する、（ｔａ＋ｔｂ）、ｔａまたはｔｂのいずれかの割合が設定値から外れた場合に、前記定着装置（Ｆ）が過熱状態になるのを防止するように前記定着装置（Ｆ）の動作を制御する。
【００２０】
前記第１発明の画像形成装置は、下記の構成要件（Ａ０１６）〜（Ａ０１８），（Ａ０２１）をることが可能である。
（Ａ０１６）小サイズシート用ヒータ（ｈ１）および大サイズシート用ヒータ（ｈ２）の２個のヒータ（ｈ１，ｈ２）のみを有する前記複数のヒータ（ｈ１，ｈ２）、
（Ａ０１７）前記定着用回転部材（Ｆｈ，Ｆｐ）表面の最小幅シートが通過する部分の温度を検出する第１温度センサ（ＳＮ１）および定着用回転部材（Ｆｈ，Ｆｐ）の小サイズシート用ヒータより外側部分の表面温度を検出する第２温度センサ（ＳＮ２）の２個の温度センサのみを有する前記複数の温度センサ（ＳＮ１，ＳＮ２）、
（Ａ０１８）画像記録動作時に所定の期間（ｔｃ）経過する度に前記小サイズシート用ヒータ（ｈ１）の点灯時間（ｔａ）および大サイズシート用ヒータ（ｈ２）の点灯時間（ｔｂ）を検出する前記点灯時間検出手段（ＴＭａ，ＴＭｂ）、
（Ａ０２１）前記所定の期間をｔｃ、小サイズシート用ヒータ（ｈ１）の検出点灯時間をｔａ、大サイズシート用ヒータ（ｈ２）の検出点灯時間をｔｂとした場合に、ｔａおよびｔｂの中の一方の検出時間に対する他方の検出時間の比の値が設定値から外れた場合に、前記定着装置が過熱状態になるのを防止するように前記定着装置の動作を制御する前記冷却動作実行手段（Ｃ７）。
【００２１】
前記構成要件（Ａ０１６）〜（Ａ０１８），（Ａ０２１）を備えた第１発明の画像形成装置では、前記冷却動作実行手段（Ｃ７）は、前記所定の期間をｔｃ、小サイズシート用ヒータ（ｈ１）の検出点灯時間をｔａ、大サイズシート用ヒータ（ｈ２）の検出点灯時間をｔｂとした場合に、ｔａおよびｔｂの中の一方の検出時間に対する他方の検出時間の比の値が設定値から外れた場合に、前記定着装置（Ｆ）が過熱状態になるのを防止するように前記定着装置（Ｆ）の動作を制御する前記冷却動作実行手段（Ｃ７）。
【００２２】
前記第１発明の画像形成装置は、下記の構成要件（Ａ０２２）を備えることが可能である。
（Ａ０２２）連続して給紙されるシートがシート搬送路中の所定の設定位置を所定枚数通過する期間が設定された前記所定期間。
前記構成要件（Ａ０２２）を備えた第１発明の画像形成装置では、点灯時間検出手段（ＴＭａ，ＴＭｂ）は、画像記録動作時に、連続して給紙されるシートがシート搬送路中の所定の設定位置を所定枚数通過する度に前記複数のヒータ（ｈ１，ｈ２）の中の１以上のヒータ（ｈ１，ｈ２）の点灯時間（ｔａ，ｔｂ）を検出する。
【００２３】
前記第１発明の画像形成装置は、下記の構成要件（Ａ０２３）を備えることが可能である。
（Ａ０２３）画像記録動作時に一定時間経過する度に区切られて設定された前記所定期間。
前記構成要件（Ａ０２３）を備えた第１発明の画像形成装置では、点灯時間検出手段（ＴＭａ，ＴＭｂ）は、画像記録動作時に、一定時間経過する度に区切られて設定された前記所定期間経過する度に前記複数のヒータ（ｈ１，ｈ２）の中の１以上のヒータ（ｈ１，ｈ２）の点灯時間（ｔａ，ｔｂ）を検出する。
【００２４】
前記第１発明の画像形成装置は、下記の構成要件（Ａ０２４）を備えることが可能である。
（Ａ０２４）複数の前記所定期間の中の連続する前の所定期間とその後の所定期間とは前の所定期間の終了時刻と後の所定期間の開始時刻とが一致している前記複数の所定期間。
前記構成要件（Ａ０２４）を備えた第１発明の画像形成装置では、点灯時間検出手段（ＴＭａ，ＴＭｂ）は、複数の前記所定期間の中の連続する前の所定期間とその後の所定期間とは前の所定期間の終了時刻と後の所定期間の開始時刻とが一致しているので、連続する前後の所定期間には互いに重複して検出する期間が存在せず且つ連続する前後の所定期間の間に検出しない期間が存在しない。この場合、画像記録動作中のヒータ（ｈ１，ｈ２）の点灯時間（ｔａ，ｔｂ）を、重複したり検出漏れする期間無しに検出することが可能となる。
【００２５】
前記第１発明の画像形成装置は、下記の構成要件（Ａ０２５）を備えることが可能である。
（Ａ０２５）複数の前記所定期間の中の連続する前の所定期間とその後の所定期間とは前の所定期間の終了時刻に対し、後の所定期間の開始時刻が遅れて設定されている前記複数の所定期間。
前記構成要件（Ａ０２５）を備えた第１発明の画像形成装置では、点灯時間検出手段（ＴＭａ，ＴＭｂ）は、複数の前記所定期間の中の連続する前の所定期間とその後の所定期間とは前の所定期間の終了時刻に対し、後の所定期間の開始時刻が遅れて設定されているので、連続する前後の所定期間の間に検出しない期間が存在しない期間が存在する。
【００２６】
前記第１発明の画像形成装置は、下記の構成要件（Ａ０２６）を備えることが可能である。
（Ａ０２６）複数の前記所定期間の中の連続する前の所定期間とその後の所定期間とは前の所定期間の終了時刻に対し、後の所定期間の開始時刻が前に設定されている前記複数の所定期間。
前記構成要件（Ａ０２６）を備えた第１発明の画像形成装置では、点灯時間検出手段（ＴＭａ，ＴＭｂ）は、複数の前記所定期間の中の連続する前の所定期間とその後の所定期間とは前の所定期間の終了時刻に対し、後の所定期間の開始時刻が前に設定されているので、連続する前後の所定期間には互いに重複して検出する期間が存在する。
【００２７】
前記第１発明の画像形成装置は、下記の構成要件（Ａ０２７）を備えることが可能である。
（Ａ０２７）前記複数のヒータ（ｈ１，ｈ２）をオフまたは定着動作中よりも低い温度に制御して定着用回転部材（Ｆｈ，Ｆｐ）を回転させることにより定着用回転部材（Ｆｈ，Ｆｐ）の温度を低下させる前記冷却動作実行手段（Ｃ７）。
前記構成要件（Ａ０２７）を備えた第１発明の画像形成装置では、前記冷却動作実行手段（Ｃ７）は、前記ヒータ（ｈ１，ｈ２）をオフまたは定着動作中よりも低い温度に制御し且つ前記一対の定着用回転部材（Ｆｈ，Ｆｐ）を空回転させることにより定着用回転部材（Ｆｈ，Ｆｐ）の温度を低下させる。
【００２８】
前記第１発明の画像形成装置は、下記の構成要件（Ａ０２８）を備えることが可能である。
（Ａ０２８）前記シートの搬送間隔を長くすることにより定着用回転部材（Ｆｈ，Ｆｐ）の温度を低下させる前記冷却動作実行手段（Ｃ７）。
前記構成要件（Ａ０２８）を備えた第１発明の画像形成装置では、前記冷却動作実行手段（Ｃ７）は、前記シートの搬送間隔を長くする。この場合、定着用回転部材（Ｆｈ，Ｆｐ）内部の熱伝動により温度ムラが解消され。このとき、定着用回転部材（Ｆｈ，Ｆｐ）の高温部分の温度を低下させることができる。
【００２９】
前記第１発明の画像形成装置は、下記の構成要件（Ａ０２９）を備えることが可能である。
（Ａ０２９）画像記録動作の速度を低下させることにより定着用回転部材（Ｆｈ，Ｆｐ）の温度を低下させる前記冷却動作実行手段（Ｃ７）。
前記構成要件（Ａ０２９）を備えた第１発明の画像形成装置では、前記冷却動作実行手段（Ｃ７）は、画像記録動作の速度を低下させる。この場合、定着用回転部材（Ｆｈ，Ｆｐ）内部の熱伝動により温度ムラが解消され。このとき、定着用回転部材（Ｆｈ，Ｆｐ）の高温部分の温度を低下させることができる。また、画像記録動作の速度が低下すると、シートが定着ニップ（Ｑ５）を通過する時間が長くなるので、低い温度で定着が可能となる。このため、定着温度の目標温度を低く設定することにより、定着用回転部材（Ｆｈ，Ｆｐ）の温度を低下させることができる。
【００３０】
【発明の実施の形態】
次に図面を参照しながら、本発明の実施の形態の具体例を説明するが、本発明は以下の実施の形態に限定されるものではない。
【００３１】
（実施の形態１）
図１は本発明の画像形成装置の実施の形態１の説明図である。
図１において、実施の形態１の画像形成装置（デジタル複写機）Ｕは、プリンタ（画像形成装置本体）Ｕ１、イメージスキャナＵ２、自動原稿搬送装置Ｕ３を有している。
前記自動原稿搬送装置Ｕ３は、イメージスキャナＵ２上面のプラテンガラスＰＧ上に支持されている。
【００３２】
前記自動原稿搬送装置Ｕ３は、複写しようとする複数の原稿Ｇｉが重ねて載置される原稿給紙トレイＴＧ１を有している。前記原稿給紙トレイＴＧ１に載置された複数の各原稿Ｇｉは順次プラテンガラスＰＧ上の複写位置（プラテンロールＧＲ１の圧接位置）を通過して原稿排出ロールＧＲ２から原稿排紙トレイＴＧ２に排出されるように構成されている。
前記自動原稿搬送装置Ｕ３は、その後端部（−Ｘ端部）に設けた左右方向（Ｙ軸方向）に延びるヒンジ軸（図示せず）により前記プラテンガラスＰＧ上面に対して回動可能であり、原稿Ｇｉを作業者が手でプラテンガラスＰＧ上に置く場合に上方に回動される。
【００３３】
前記イメージスキャナＵ２は、ユーザがコピースタート等の作動指令信号を入力操作するＵＩ（ユーザインタフェース）（図１、図５参照）を有している。
前記透明なプラテンガラスＰＧの下方には原稿画像を読み取るための露光光学系Ａが配置されている。
前記自動原稿搬送装置Ｕ３でプラテンガラスＰＧ上面に搬送されて前記複写位置を通過する原稿または手動でプラテンガラスＰＧ上に置かれた原稿（図示せず）からの反射光は、前記露光光学系Ａを介して、ＣＣＤ（固体撮像素子）で電気信号に変換される。
ＩＰＳ（イメージプロセッシングシステム）は、ＣＣＤから入力されるＲ，Ｇ，Ｂ（レッド、グリーン、ブルー）の電気信号をＹ，Ｍ，Ｃ，Ｋ（イエロー、マゼンタ、シアン、黒）の画像データ（デジタルデータ）に変換して一時的に記憶し、前記画像データを所定のタイミングで潜像形成用の画像データとしてレーザ駆動回路ＤＬに出力する。
レーザ駆動回路ＤＬは、入力された画像データに応じてレーザ駆動信号をＲＯＳ（潜像形成装置）のレーザダイオード（図示せず）に出力する。なお、前記ＵＩ（ユーザインタフェース）、ＩＰＳおよびレーザ駆動回路ＤＬと、後述の現像ロールＲ０、転写ロールＴ１，２次転写ロール（シート転写部材）Ｔ２ｂ等にバイアス電圧を印加する電源回路Ｅ等の動作はコントローラＣにより制御される。
【００３４】
前記ＩＰＳが出力するＹＭＣＫの４色の画像データ（レーザ駆動データ）が入力されたレーザ駆動回路ＤＬは、入力された前記各色の画像データに応じた各色のレーザ駆動信号を所定のタイミングで、各色のＲＯＳ（潜像形成装置）に出力する。
【００３５】
各像担持体（感光体）Ｐｙ，Ｐｍ，Ｐｃ，Ｐｋはそれぞれの帯電ロール（帯電部材）ＣＲにより一様に帯電された後、前記各色のＲＯＳ（潜像形成装置）の出力する光ビームによりその表面に静電潜像が形成される。前記像担持体Ｐｙ，Ｐｍ，Ｐｃ，Ｐｋ表面の静電潜像はそれぞれ、各現像器Ｇｙ，Ｇｍ，Ｇｃ，Ｇｋと対向する現像領域において各色ＹＭＣＫのトナー像に現像される。なお、前記各現像器Ｇｙ，Ｇｍ，Ｇｃ，Ｇｋは、各色のトナーを収容した現像容器と、前記現像容器に回転可能に支持され且つ前記像担持体Ｐｙ，Ｐｍ，Ｐｃ，Ｐｋ表面の静電潜像にトナーを搬送してトナー像に現像する現像ロールＲ０を有している。なお、前記各色の現像器Ｇｙ，Ｇｍ，Ｇｃ，Ｇｋの現像容器にはトナーカートリッジＴｙ〜Ｔｋから各色のトナーが補給されるように構成されている。
【００３６】
前記現像された各色ＹＭＣＫのトナー像は、前記各像担持体Ｐｙ，Ｐｍ，Ｐｃ，Ｐｋとエンドレスの中間転写ベルト（像担持体）Ｂとが接触する１次転写領域Ｑ３に搬送される。前記各１次転写領域Ｑ３において中間転写ベルトＢの裏面側に配置された１次転写ロールＴ１には、コントローラＣにより制御される電源回路Ｅから所定のタイミングで現像剤の帯電極性と逆極性の１次転写電圧が印加される。前記各像担持体Ｐｙ〜Ｐｋ上のトナー像は前記各１次転写ロールＴ１に対向する１次転写領域Ｑ３において中間転写ベルトＢに重ねて１次転写される。１次転写後の像担持体Ｐｙ，Ｐｍ，Ｐｃ，Ｐｋ表面の残留トナーは、像担持体クリーナＣＬｐで除去される。
【００３７】
前記各像担持体Ｐｙ〜Ｐｋ、各色のＲＯＳ（潜像形成装置）、各色の現像器Ｇｙ〜Ｇｋによって、前記各像担持体Ｐｙ〜Ｐｋ上に各色のトナー像を形成する各色のトナー像形成装置ＵＹ（Ｐｙ＋ＲＯＳ＋Ｇｙ），ＵＭ（Ｐｍ＋ＲＯＳ＋Ｇｍ），ＵＣ（Ｐｃ＋ＲＯＳ＋Ｇｃ），ＵＫ（Ｐｋ＋ＲＯＳ＋Ｇｋ）が構成される。
【００３８】
前記各色の像担持体Ｐｙ，Ｐｍ，Ｐｃ，Ｐｋの下方には左右一対のスライドレールＳＲ，ＳＲによりスライドフレームＦ１が前後方向（紙面に垂直な方向、すなわち、Ｘ軸方向）にスライド移動可能に支持されている。スライドフレームＦ１にはベルトモジュールＢＭのベルトフレームＦ２が上昇した動作位置（像担持体Ｐｙ〜Ｐｋに接触する位置）と下方に移動したメンテナンス位置（像担持体Ｐｙ〜Ｐｋから下方に離れた位置）との間で昇降可能に支持されている。前記ベルトモジュールＢＭが前記ベルトメンテナンス位置に下降した状態では、前記スライドフレームＦ１およびこれに支持されたベルトモジュールＢＭを、前記像担持体ＰＲと摩擦接触させることなく、画像形成装置本体Ｕ１に対して出入させることができるように構成されている。
前記スライドフレームＦ１を前後移動させる構成およびベルトモジュールＢＭを昇降させる構成は、従来公知（例えば、特開平８−１７１２４８号公報参照）であり、従来公知の種々の構成を採用することが可能である。
【００３９】
前記ベルトモジュールＢＭは、前記中間転写ベルトＢと、ベルト駆動ロールＲｄ、テンションロールＲｔ、ウォーキングロールＲｗ、複数のアイドラロール（フリーロール）ＲｆおよびバックアップロールＴ２ａを含むベルト支持ロール（Ｒｄ，Ｒｔ，Ｒｗ，Ｒｆ，Ｔ２ａ）と、前記４個の１次転写ロールＴ１とを有している。そして、前記中間転写ベルトＢは前記ベルト支持ロール（Ｒｄ，Ｒｔ，Ｒｗ，Ｒｆ，Ｔ２ａ）により矢印Ｙａ方向に回転移動可能に支持されている。
【００４０】
前記バックアップロールＴ２ａに接する中間転写ベルトＢの表面に対向して２次転写ロール（シート転写部材）Ｔ２ｂが配置されており、中間転写ベルトＢおよび２次転写ロールＴ２ｂの対向する領域には２次転写領域（シート転写領域）Ｑ４が形成される。前記２次転写ロールＴ２ｂにはコントローラＣにより制御される電源回路Ｅから所定のタイミングで現像剤の帯電極性と逆極性の２次転写電圧が印加される。前記２次転写ロールＴ２ｂに対向して配置された前記バックアップロールＴ２ａはアース（接地）されており、前記２次転写ロールＴ２ｂに２次転写電圧が印加されたときには、前記２次転写ロールＴ２ｂおよびバックアップロールＴ２ａ間には２次転写電界が形成される。前記バックアップロールＴ２ａおよび２次転写ロールＴ２ｂにより２次転写器Ｔ２が構成される。
前記４個の１次転写ロールＴ１および中間転写ベルトＢを含むベルトモジュールＢＭと、２次転写器Ｔ２等により、トナー像形成装置（ＵＹ，ＵＭ，ＵＣ，ＵＫ）の像担持体Ｐｙ〜Ｐｋ表面に形成されたトナー像を記録シートＳに転写する転写装置（ＢＭ＋Ｔ２）が構成されている。
【００４１】
プリンタ（画像形成装置本体）Ｕ１の下部には、シートＳを収容した給紙トレイＴＲ１〜ＴＲ３および給紙用搬送路ＳＨ１が設けられている。また、前記給紙用搬送路ＳＨ１には手差トレイＴＲ４から給紙できるように構成されている。前記給紙トレイＴＲ１〜ＴＲ３に収容されたシートＳは、所定のタイミングでピックアップロールＲｐにより取り出され、さばきロールＲｓで１枚づつ分離されて、搬送ロールＲａによりレジロールＲｒに搬送される。また、手差トレイＴＲ４から給紙されたシートは搬送ロールＲａによりレジロールＲｒに搬送される。前記レジロールＲｒに搬送された記録シートＳは、前記中間転写ベルトＢに１次転写された多重トナー像または単色トナー像が２次転写領域Ｑ４に移動するのにタイミングを合わせて、２次転写領域Ｑ４に搬送される。
前記２次転写領域Ｑ４を記録シートＳが通過する際、２次転写ロールＴ２ｂに前記２次転写電圧が印加されるので、前記中間転写ベルトＢに重ねて１次転写されたカラートナー像は、前記２次転写領域Ｑ４において一括して記録シートＳに２次転写される。
２次転写後の中間転写ベルトＢはベルトクリーナＣＬｂにより残留トナーが除去される。
【００４２】
トナー像が２次転写された前記記録シートＳは、転写後シートガイドＳＧ、シート搬送ベルトＨＢにより定着ニップＱ５に搬送され、定着ニップＱ５を通過する際に定着装置Ｆにより加熱定着される。トナー像が定着された記録シートＳは、シート排出路ＳＨ２または両面記録用搬送路ＳＨ３に搬送される。シート排出路ＳＨ２に搬送されたシートは記排紙トレイＴＲｈに排出され、シート反転路ＳＨ３に搬送されたシートは表裏反転されてから前記レジロールＲｒに再送される。
前記符号Ｒｐ，Ｒｓ，Ｒｒ，ＳＧ，ＢＨ，ＳＨ１，ＳＨ２，ＳＨ３等で示された要素によりシート搬送装置ＳＨが構成されている。
【００４３】
（定着装置）
図２は前記図１に示す定着装置の拡大図である。
図３は前記図２のＩＩＩ−ＩＩＩ線断面図である。
図２、図３において、加熱ロールＦｈは内部に小サイズシート用ヒータｈ１および大サイズ紙使用ヒータｈ２を内蔵しており、そのロール軸方向両端部は軸受Ｆｈａ，Ｆｈａを介して図示しないフレームに回転可能に支持されている。また、加圧ロールＦｐのロール軸方向両端部は軸受Ｆｐａ，Ｆｐａを介して図示しないフレームに回転可能に支持されている。
【００４４】
（小サイズシート用ヒータｈ１）
小サイズシート用ヒータｈ１は小サイズシート（シート搬送方向に垂直な方向のシート幅がＡ４ＳＥＦ以下のシート）の通過する領域である小サイズシート定着領域Ｒ１（図３参照）とほぼ同じ幅を加熱するように構成され、ＬｅｔｔｅｒＳＥ（レターサイズシートショートエッジ）の幅以下のシートを定着する際には小サイズシート用ヒータｈ１のみがオンオフ制御される。
（大サイズシート用ヒータｈ２）
ヒータｈ２は大サイズシート（シート搬送方向に垂直な方向のシート幅がＡ４ＳＥＦより長いシート）の通過する領域である大サイズシート定着領域Ｒ２（図３参照）とほぼ同一の幅を有しており、ＬｅｔｔｅｒＳＥ（レターサイズシートショートエッジ）の幅よりも大きい幅のシートを定着する際には大サイズシート用ヒータｈ２および前記小サイズシート用ヒータｈ１が交互に使用される。
【００４５】
なお、前記Ａ４ＬＥＦの「ＬＥＦ」は、ロングエッジフィードの略語であり、用紙の長辺（ロング）を前端（エッジ）にして搬送する（フィードする）シートの意味であり、前記Ａ３ＳＥＦの「ＳＥＦ」は、ショートエッジフィードの略語であり、用紙の短辺（ショート）を前端（エッジ）にして搬送する（フィードする）シートの意味である。
【００４６】
図４は加熱ロールおよび前記加熱ロール内部のヒータｈ１、ｈ２の発熱量分布図である。
図４において、小サイズシート用ヒータｈ１の発熱量分布Ｌ１は小サイズシート用ヒータｈ１の長さに沿って一定とされているが大サイズシート用ヒータｈ２の発熱量分布Ｌ２は両端部が中央部よりも大きくなっている。この理由は、ヒータｈ２の端部の通紙域の熱量が軸受部を通して外側に逃げて、通紙域の端部の温度が低下するのを防止するためである。
【００４７】
（本実施例の制御部の説明）
図５は本発明の画像形成装置の実施の形態１の制御部分が備えている各機能をブロック図（機能ブロック図）で示した図である。
図６は本発明の画像形成装置の実施の形態１の制御部分が備えている各機能をブロックで示した機能ブロック図であり、前記図５の続きの部分を示す図である。
図５においてコントローラＣは、外部との信号の入出力および入出力信号レベルの調節等を行うＩ／Ｏ（入出力インターフェース）、必要な処理を行うためのプログラムおよびデータ等が記憶されたＲＯＭ（リードオンリーメモリ）、必要なデータを一時的に記憶するためのＲＡＭ（ランダムアクセスメモリ）、前記ＲＯＭに記憶されたプログラムに応じた処理を行うＣＰＵ（中央演算処理装置）、ならびにクロック発振器等を有するコンピュータにより構成されており、前記ＲＯＭに記憶されたプログラムを実行することにより種々の機能を実現することができる。
【００４８】
（前記コントローラＣに接続された信号入力要素）
図５において、前記コントローラＣは、電源スイッチＳＷと、ＵＩ（ユーザインタフェース）、第１温度センサＳＮ１、第２温度センサＳＮ２（第２図〜第４図参照）、シート排出センサＳＮ３、その他の信号入力要素からの信号が入力されている。
前記ＵＩは、表示器ＵＩ１、コピースタートキー（ジョブ開始入力キー）ＵＩ２，コピー枚数設定キーＵＩ３、倍率設定キーＵＩ４、テンキーＵＩ５、シート種類入力モード選択キーＵＩ６、シートサイズ入力モード選択キーＵＩ７等を備えている。
第１温度センサＳＮ１は、加熱ロールＦｈ表面部分の最小幅シートの通紙領域（シートが通過する領域）の温度Ｔ１を検出する。
第２温度センサＳＮ２は、加熱ロールＦｈの小サイズシート用ヒータより外側部分の表面温度Ｔ２を検出する。
シート排出センサＳＮ３は、シート排出トレイＴＲ２に排出される記録シートＳを検出する。
電源スイッチＳＷは、画像形成装置Ｕの電源を手動でオンおよびオフにするスイッチである。
【００４９】
（前記コントローラＣに接続された制御要素）
また、コントローラＣは、ＩＰＳ（イメージプロセッシングシステムすなわち、画像処理システム）、ＤＬ（レーザドライバすなわちレーザ駆動回路）、電源回路Ｅ、加熱ロール・シート搬送ロール駆動回路Ｄ１およびヒータ駆動回路Ｄ２、その他の制御要素に接続されており、それらの作動制御信号を出力している。前記電源回路Ｅは各種の駆動回路、モータ、ヒータ等に電力を供給する。
前記加熱ロール・シート搬送ロール回転駆動回路Ｄ１はロール回転駆動モータＭ１を介して加熱ロールＦｈを回転駆動する。
ヒータ駆動回路Ｄ２は加熱ロールＦｈに内蔵されたヒータｈ１，ｈ２を駆動する。
【００５０】
（前記コントローラＣの機能）
前記コントローラＣは、前記信号出力要素ＵＩ，ＳＮ１〜ＳＮ３等からの入力信号に応じた処理を実行して、前記各制御要素ＩＰＳ，ＤＬ，Ｅ等に制御信号を出力する機能を有している。
すなわち、コントローラＣは次の機能を有している。
Ｃ１：ジョブ実行手段
ジョブ実行手段Ｃ１は次の手段Ｃ１ａ〜Ｃ１ｃを有し、コピースタートキー（ジョブ開始入力キー）ＵＩ２の入力に応じてジョブ中の各頁の画像記録を実行する。
Ｃ１ａ：ＰＳＫパルス間隔記憶手段
ＰＳＫパルス間隔記憶手段Ｃ１ａは、各シートサイズ毎のプリントスタート基準信号ＰＳＫのパルス間隔を記憶する。
Ｃ１ｂ：ＰＳＫパルス出力手段
ＰＳＫパルス出力手段Ｃ１ｂは、シートサイズに応じた時間間隔でプリントスタート基準信号ＰＳＫのパルスを出力する。
Ｃ１ｃ：各頁の画像記録動作開始指示信号出力手段
各頁の画像記録動作開始指示信号出力手段Ｃ１ｃは、出力されたＰＳＫパルスに応じて、各頁の画像記録動作開始指示信号を出力する。
【００５１】
Ｃ２：待機動作実行手段
待機動作実行手段Ｃ２は、ジョブ終了後にイレーズモードが終了した後、一定期間、定着ニップＱ５の温度を待機温度に維持する。
Ｃ３：イレーズ動作実行手段
イレーズ動作実行手段Ｃ３は、ジョブ終了後の一定期間、帯電ロールに帯電バイアスを印加しながら、像担持体Ｐｙ〜Ｐｋ、中間転写ベルトＢ、加熱ロールＦｈ等を回転させて、像担持体ＰＲの帯電ムラの除去およびクリーニング等を実行する。
【００５２】
Ｃ４：定着ニップ温度制御パラメータ記憶手段
定着ニップ温度制御パラメータ記憶手段Ｃ４は、次の手段Ｃ４Ａ〜Ｃ４Ｊを有する。
Ｃ４Ａ：ジョブ時制御温度記憶手段
ジョブ時制御温度記憶手段Ｃ４Ａは、ジョブ時下限設定温度Ｔ１ｊａ（１８３℃）およびジョブ時上限定着温度Ｔ１ｊｂ（１８７℃）を記憶している。
【００５３】
図７はコントローラＣの不揮発性メモリに記憶されているデューティ比測定枚数基準設定値およびデューティ比閾値記憶テーブルである。
Ｃ４Ｂ：デューティ比測定枚数基準設定値記憶手段
デューティ比測定枚数基準設定値記憶手段Ｃ４Ｂは、デューティ比が異常か否かを判断するまでのデューティ比測定期間を定める画像記録枚数ｎの設定値ｎ０（図７参照）を記憶する。
Ｃ４Ｃ：デューティ比閾値値記憶手段
デューティ比閾値値記憶手段Ｃ４Ｃは、測定したデューティ比ｄが異常か否かを判断するためのデューティ比閾値ｄ０（図７参照）を記憶する。
【００５４】
Ｃ４Ｄ：待機時制御温度記憶手段
待機時制御温度記憶手段Ｃ４Ｄは、待機時下限設定温度Ｔ１ｔａ（１７０℃（図２４参照））および待機時上限設定温度Ｔ１ｔｂ（１７３℃（図２４参照））を記憶している。
Ｃ４Ｅ：第１イレーズ期間記憶手段
第１イレーズ期間記憶手段Ｃ４Ｅは、ジョブ終了時に後続ジョブが無い場合に行う第１イレーズモード継続時間の設定値Ｔ４ａ（＝５秒間）を記憶している。
Ｃ４Ｆ：第２イレーズ期間記憶手段
第２イレーズ期間記憶手段Ｃ４Ｆは、ジョブ終了時に後続ジョブが有る場合に行う第２イレーズモード継続時間の設定値Ｔ４ｂ（＝１５秒間）を記憶している。
【００５５】
Ｃ４Ｇ：冷却制御期間決定用データ記憶手段
冷却制御期間決定用データ記憶手段Ｃ４Ｇは、図８に示す冷却制御期間決定用データ記憶テーブルを記憶する。
図８は冷却制御期間決定用データ記憶テーブルの説明図である。
図８において、定着ニップＱ５の冷却動作を実行する際の冷却制御期間（冷却動作期間）の長さを定める最大待ち時間ｔ３ａおよび給紙許可温度Ｔ２ａは、各種シートサイズに対応して設定されている。各種シートサイズに対応して設定された最大待ち時間ｔ３ａおよび給紙許可温度Ｔ２ａは次のとおりである。
Ａ４ＬＥＦ、Ａ３ＳＥＦ…ｔ３ａ＝４０秒、Ｔ２ａ＝１８０℃
Ｌｅｔｔｅｒ  ＬＥＦ    …………  ｔ３ａ＝４０秒、Ｔ２ａ＝１６０℃
Ｌｅｄｇｅｒ  ＳＥＦ    …………  ｔ３ａ＝８０秒、Ｔ２ａ＝１５０℃
冷却制御期間（冷却動作期間）の長さを定める最大待ち時間ｔ３ａおよび給紙許可温度Ｔ２ａが上記のように設定されている場合、例えば前記Ａ４ＬＥＦのシートに画像記録している場合の冷却動作の最大期間ｔ３ａは４０秒であり、給紙許可温度Ｔ２ａは１８０℃以下であることを意味する。
【００５６】
Ｃ５：デューティ比測定手段
デューティ比測定手段Ｃ５は、ｈ１点灯時間検出手段ＴＭａおよびｈ２点灯時間検出手段ＴＭｂを有し、各検出手段ＴＭａ，ＴＭｂの検出時間に基づいて、設定期間ｔｃ内における小サイズシート用ヒータｈ１オンの時間ｔａと大サイズシート用ヒータｈ２オンの時間ｔｂとの合計時間（ｔａ＋ｔｂ）に対する大サイズシート用ヒータｈ２オンの時間ｔｂの比ｄを測定する。、すなわち、ｄ＝ｔｂ／（ｔａ＋ｔｂ）を測定する。前記ｄ＝ｔｂ／（ｔａ＋ｔｂ）を制御用デューティ比ということにする。
ＴＭａ：小サイズシート用ヒータｈ１点灯時間検出手段
小サイズシート用ヒータｈ１点灯時間検出手段ＴＭａは、設定期間ｔｃ内における小サイズシート用ヒータｈ１オンの時間ｔａを検出する。
ＴＭｂ：大サイズシート用ヒータｈ２点灯時間検出時間
大サイズシート用ヒータｈ２点灯時間検出手段ＴＭｂは、設定期間ｔｃ内における大サイズシート用ヒータｈ２オンの時間ｔｂを検出する。
【００５７】
Ｃ６：デューティ比異常判別手段
デューティ比異常判別手段Ｃ６は、測定されたデューティ比ｄと設定されたデューティ比閾値ｄ０とを比較してｄ＜ｄ０の場合にデューティ比が異常であると判別する。
ＦＬ２：デューティ比異常判別フラグ
デューティ比異常判別フラグＦＬ２は、初期値＝「０」であり、デューティ比異常判別手段Ｃ６が異常と判断したときにＦＬ２＝「１」となり、定着ニップの冷却処理を実行した後でＦＬ２＝「０」となる。
【００５８】
Ｃ７：冷却動作実行手段
冷却動作実行手段Ｃ７は、デューティ比異常判別フラグＦＬ２＝「１」になると、ジョブを中断して搬送中の全シートを排出してから定着ニップの冷却動作（冷却処理）を実行する。
Ｃ８：ヒータ制御手段
ヒータ制御手段Ｃ８は、ジョブ動作、待機動作、イレーズ動作、冷却動作時等に、定着ニップ温度制御パラメータ記憶手段Ｃ４に記憶されたデータおよび温度センサＳＮ１，ＳＮ２の検出温度等に基づいて小サイズシート用ヒータｈ１および大サイズシート用ヒータｈ２のオンオフを制御する。
【００５９】
（フローチャートの説明）
図９は実施の形態１の画像形成装置の各トレイに収容されたシートの種類およびサイズを設定する処理のフローチャートであり、図９Ａはシート種類設定処理、図９Ｂはシートサイズ設定処理のフローチャートである。
図９のフローチャートの各ＳＴ（ステップ）の処理は、前記コントローラＣのＲＯＭに記憶されたプログラムに従って行われる。また、この処理は画像形成装置の他の各種処理と並行してマルチタスクで実行される。
図９Ａに示すトレイに収容されたシート種類設定処理のフローチャートは電源オンにより開始される。
図９ＡのステップＳＴ１において、シート種類入力モードが選択されたか否か判断する。ノー（Ｎ）の場合はＳＴ１を繰り返し実行する。前記図５のシート種類入力モード選択キーＵＩ６が入力操作されるとイエス（Ｙ）となる。イエス（Ｙ）の場合は表示器ＵＩ１にシート種類入力画面を表示してＳＴ２に移る。前記シート種類入力画面には必要な情報および入力ボタン（厚紙またはＯＨＰ用紙を選択するボタン、入力モードを終了するボタン等）が表示され、前記表示された入力ボタンを選択することによりシート種類を設定することが可能である。
ＳＴ２においてトレイ番号が選択されたか否か判断する。ノー（Ｎ）の場合はＳＴ６に移り、イエス（Ｙ）の場合はＳＴ３に移る。
ＳＴ３において選択されたトレイ番号を記憶する。
【００６０】
次にＳＴ４においてシート種類が入力されたか否か判断する。ノー（Ｎ）の場合はＳＴ６に移り、イエス（Ｙ）の場合はＳＴ５に移る。
ＳＴ５において、選択されたトレイ番号に対応して、入力されたシート種類（厚紙またはＯＨＰ）を記憶する。
次にＳＴ６においてシート種類入力モードが終了したか否か判断する。ノー（Ｎ）の場合は前記ＳＴ２に戻り、イエス（Ｙ）の場合はシート種類設定処理を終了する。
【００６１】
図９Ｂに示すトレイに収容されたシートサイズ設定処理のフローチャートは電源オンにより開始される。
図９ＢのステップＳＴ１′において、シートサイズ入力モードが選択されたか否か判断する。ノー（Ｎ）の場合はＳＴ１′を繰り返し実行する。前記図５のシートサイズ入力モード選択キーＵＩ７が入力操作されるとイエス（Ｙ）となる。イエス（Ｙ）の場合は表示器ＵＩ１にシートサイズ入力画面を表示してＳＴ２′に移る。前記シートサイズ入力画面にはシートサイズ入力に必要な情報および入力ボタン（シートサイズ選択するボタン、入力モードを終了するボタン等）が表示され、前記表示された入力ボタンやテンキー等を入力することにより各トレイ番号ＴＲ１〜ＴＲ４に対してシートサイズを設定することが可能である。
ＳＴ２′においてトレイ番号が選択されたか否か判断する。ノー（Ｎ）の場合はＳＴ６′に移り、イエス（Ｙ）の場合はＳＴ３′に移る。
ＳＴ３′において選択されたトレイ番号を記憶する。
【００６２】
次にＳＴ４′においてシートサイズが入力されたか否か判断する。ノー（Ｎ）の場合はＳＴ６′に移り、イエス（Ｙ）の場合はＳＴ５′に移る。
ＳＴ５′において、選択されたトレイ番号に対応して、入力されたシートサイズを記憶する。
次にＳＴ６′においてシートサイズ入力モードが終了したか否か判断する。ノー（Ｎ）の場合は前記ＳＴ２′に戻り、イエス（Ｙ）の場合はシートサイズ設定処理を終了する。
【００６３】
図１０は実施の形態１の画像形成装置の画像記録処理のメインルーチンのフローチャートである。
図１０のフローチャートの各ＳＴ（ステップ）の処理は、前記コントローラＣのＲＯＭに記憶されたプログラムに従って行われる。また、この処理は画像形成装置の他の各種処理と並行してマルチタスクで実行される。図１０に示す画像記録処理のメインルーチンの処理のフローチャートは電源オンにより開始される。
図１０のＳＴ１１においてジョブ開始入力有りか否か判断する。イエス（Ｙ）の場合はＳＴ１２に移る。
ＳＴ１２においてジョブモード制御処理（画像記録動作の制御処理）を実行する。
【００６４】
前記ＳＴ１１においてノー（Ｎ）の場合はＳＴ１３に移る。
ＳＴ１３においてＴＭ１（待機モード継続時間計測タイマ）が作動中か否か判断する。ノー（Ｎ）の場合は前記ＳＴ１１に戻る。イエス（Ｙ）の場合はＳＴ１４に移る。
ＳＴ１４において待機モード時ヒータ制御処理を実行する。この処理は後で図２１に基づいて詳述する。
次にＳＴ１５において待機モード継続時間計測タイマＴＭ１の計測時間ｔ１≧１５分１否か判断する。ノー（Ｎ）の場合は前記ＳＴ１１に戻る。イエス（Ｙ）の場合はＳＴ１６に移る。
ＳＴ１６において次の処理を実行する。
（１）待機モード継続時間計測タイマＴＭ１をオフにする。
（２）全ヒータ（小サイズシート用ヒータｈ１および大サイズシート用ヒータｈ２）をオフにする。
ＳＴ１６の次に前記ＳＴ１１に戻る。
【００６５】
前記ＳＴ１２のジョブが終了してから、ＳＴ１７に移る。
ＳＴ１７において後続ジョブが有るか否か判断する。イエス（Ｙ）の場合はＳＴ１８に移る。
ＳＴ１８において第２イレーズモード制御処理を実行する。この処理は後で図２３に基づいて詳述する。
前記ＳＴ１７においてノー（Ｎ）の場合はＳＴ１９に移る。
ＳＴ１９において第１イレーズモード制御処理を実行する。この処理は後で図２２に基づいて詳述する。ＳＴ１９の次にＳＴ２０に移る。
ＳＴ２０において待機モード継続時間計測タイマＴＭ１をオンにする。
前記ＳＴ１８およびＳＴ２０の次に前記ＳＴ１１に戻る。
【００６６】
（ジョブモード制御処理）
前記図１０のＳＴ１２のジョブモード制御処理では複数のプログラム（サブルーチン（１）〜（８））が並行してマルチタスクで実行される。
（図１１，図１２のデューティ比異常判別処理）
図１１は前記ＳＴ１２のサブルーチン（１）であり、デューティ比異常判別処理のフローチャートである。
図１２は図１１の前記ＳＴ１２のサブルーチン（１）であり、前記図１１の続きのフローチャートである。
前記図１０のＳＴ１２の処理が開始されると、ＳＴ１２のサブルーチン（１）である図１１、図１２の処理が開始される。また、ＳＴ１２のサブルーチン（１）はＳＴ１２の他のサブルーチン（２）〜（８）と並行してマルチタスクで実行される。
【００６７】
図１１のＳＴ３１において次の処理を実行する。
（１）デューティ比計測処理用判別フラグＦＬ１＝「００」とする。
（２）デューティ比異常判別フラグＦＬ２＝「０」とする。
（３）ヒータ点灯時間計測要求フラグＦＬｔ＝「０」とする。
（４）積算時間リセット要求フラグＦＬｒ＝「０」とする。
（５）デューティ比演算用画像記録枚数カウンタＣＴｎのカウント値ｎの値をｎ＝０にする。
前記ＦＬ１＝「００」は、現在シート（現在搬送しようとしているシート）の直前に搬送されたシートが無いことを意味する。したがって、ＦＬ１＝「００」でない場合は直前シートが有ることを意味する。
なお、前記（１）のカッコ付きの「０」は２進数のゼロであることを示し、（２）のカッコの付かない０は１０進数であることを示している。
前記ＳＴ３１の次にＳＴ３２に移る。
【００６８】
ＳＴ３２において記録すべき画像データが有るか否か判断する。ノー（Ｎ）の場合はＳＴ１２のサブルーチン（１）（すなわち、図１１、図１２に示すデューティ比異常判別処理）を終了する。
ＳＴ３２においてイエス（Ｙ）の場合はＳＴ３３に移る。
ＳＴ３３においてデューティ比計測開始時期判別フラグＦＬ１＝「００」か否か判断する。イエス（Ｙ）の場合（直前シートが無い場合）はＳＴ３４に移る。なお、後述するが直前シートが有る場合であっても、現在シートが直前シートと異なるトレイから給紙された場合にはＳＴ３４を実行する。
ＳＴ３４において次の処理を実行する。
（１）給紙されるトレイ番号を検出し、その検出したトレイ番号を給紙トレイ番号として設定する。
（２）設定されたトレイ番号のトレイから給紙されるシートのサイズＳ１を検出して記憶する。
（３）設定されたトレイ番号のトレイから給紙されるシートの種類Ｓ２をを検出して記憶する。
（４）前記Ｓ１，Ｓ２に応じて定まるデューティ比演算用画像記録枚数ｎの基準設定値ｎ０を、前記図７のデューティ比閾値記憶テーブルから読出して設定する。
（５）前記Ｓ１，Ｓ２に応じて定まるデューティ比の閾値ｄ０を前記図７のデューティ比閾値記憶テーブルから読出して設定する。
【００６９】
ＳＴ３５においてレジロールＲｒが回転を開始したか否か判断するノー（Ｎ）の場合はＳＴ３５を繰り返し実行する。イエス（Ｙ）の場合はＳＴ３６に移る。
ＳＴ３６においてデューティ比演算用画像記録枚数カウンタＣＴｎのカウント値ｎをｎ＝ｎ＋１とする。
【００７０】
前記ＳＴ３３において、ノー（Ｎ）の場合はＳＴＡ３７に移る。
ＳＴＡ３７において、給紙されるトレイ番号を検出する。
ＳＴＡ３８において検出したトレイ番号は設定されているトレイ番号（直前に給紙された給紙トレイの番号）と同じか否か判断する。前記ＳＴＡ３８においてイエス（Ｙ）の場合は、前回給紙されたシートと今回給紙されるシートとが同一であることを意味する。この場合はＳＴＡ３９に移る。
ＳＴＡ３９においてデューティ比計測処理用判別フラグＦＬ１＝「０１」とする。ＦＬ１＝「０１」は、現在シート（ＳＴＡ３５でレジロールＲｒにより搬送開始されたシート）の直前に搬送されたシートが有ったこと（直前シート有り）を意味する。この場合、直前シートと現在シートとが同一であれば、シートサイズ等の記憶データ（図３４参照）を更新する必要がない。ＳＴＡ３９の次にＳＴＡ３５に移る。
前記ＳＴＡ３８においてノー（Ｎ）の場合は、直前の給紙トレイと、今回の給紙トレイとが異なることを意味する。この場合はＳＴＡ４０に移る。
【００７１】
ＳＴＡ４０において次の処理を実行する。
（１）ｎ＝０。すなわち、デューティ比演算用画像記録枚数カウンタＣＴｎのカウント値ｎをｎ＝０とする。
（２）ＦＬ１＝「１０」。すなわち、ＦＬ１＝「１０」は今回のシートは直前のシートと異なることを意味する。この場合、ＳＴ３４に移ってシートサイズＳ１等の記憶データを更新する必要がある。
（３）ｄ０′＝ｄ０とする。すなわち、次のＳＴ３４に移った時にデューティ比ｄの閾値が新しく更新されることになるが、現在シート（今回ＳＴＡ３５でレジロールＲｒにより搬送されるシート）とは異なる直前のシートに対して演算されるデューティ比ｄを直前のシートの閾値ｄ０と比較するために、直前のシートの閾値ｄ０をｄ０′として記憶する。後でＳＴＡ３５で現在シートの搬送が開始された直後にＳＴ５０においてｄ＜ｄ０′か否かを判断する際に前記ｄ０′が使用される。
次に前記ＳＴＡ３４に移る。
ＳＴ３４において、今回給紙される給紙トレイに応じて定まる新しいシートのサイズＳ１、種類Ｓ２、デューティ比演算用画像記録枚数ｎの設定値ｎ０、デューティ比の閾値ｄ０等を新たに設定する。
【００７２】
前記ＳＴ３６の次に、ＳＴＡ４１に移る。
ＳＴＡ４１において、ＦＬ１＝「００」か否か判断する。イエス（Ｙ）の場合は直前シートが無いことを意味する。この場合、ヒータ点灯時間計測要求フラグＦＬｔを「１」にする処理を要求していることを意味する。イエス（Ｙ）の場合ははＳＴＡ４２に移る。
ＳＴＡ４２においてヒータ点灯計測要求フラグＦＬｔをＦＬｔ＝「１」とする。次にＳＴＡ４３に移る。
ＳＴＡ４３においてデューティ比演算用画像記録枚数ｎが図７に示す基準設定枚数ｎ０に対してｎ＜ｎ０か否か判断する。イエス（Ｙ）の場合は前記デューティ比演算用画像記録枚数カウンタＣＴｎのカウント値ｎが図７に設定されている基準設定枚数に達していないことを意味する。この場合はＳＴＡ４４に移る。
【００７３】
ＳＴＡ４４において、デューティ比計測処理用判別フラグＦＬ１＝「０１」とする。ＦＬ１＝「０１」はｎがｎ０に達しておらず且つ今回のシートと直前のシートとが同一であることを意味している。この場合、デューティ比の測定値ｄと閾値ｄ０の記憶値ｄ０′（前述したように、ｄ０′は直前のシートに対して設定されている閾値ｄ０の記憶値である）との比較を行わずに、デューティ比の計測を続行する。次にＳＴＡ４５に移る。
ＳＴＡ４５においてレジロールＲｒの回転が停止したか否か判断するノー（Ｎ）の場合はＳＴＡ４５を繰り返し実行する。イエス（Ｙ）の場合は前記ＳＴＡ３２に戻る。
【００７４】
前記ＳＴＡ４１においてノー（Ｎ）の場合（ＦＬ１＝「００」でない場合、すなわち、直前シート有りの場合）はＳＴＡ４６に移る。
ＳＴＡ４６においてＦＬ１＝「０１」か否か判断する。イエス（Ｙ）の場合（直前シート有りで且つ直前シートと現在シートが同一の場合）は前記ＳＴＡ４３に移る。
前記ＳＴＡ４３において、ノー（Ｎ）の場合はｎ≧ｎ０であることを意味し、デューティ比ｄを閾値ｄ０と比較する時期になったことを意味する。この場合、ＳＴＡ４７に移る。
ＳＴＡ４７において、次の処理を実行する。
（１）ｄ０′＝ｄ０
（２）ｎ＝０
前記（１）の処理は、現在のデューティ比（後述する図１５のＳＴ７７で測定されるデューティ比ｄ）と比較する閾値ｄ０′に前記ＳＴ３４で設定されたｄ０を記憶させる処理である。
前記（２）の処理は前記ＳＴＡ４３でｎ≧ｎ０となったので、前記デューティ比演算用画像記録枚数カウンタＣＴｎのカウント値ｎをリセットする処理である。
次にＳＴＡ４８に移る。
【００７５】
前記ＳＴＡ４６においてノー（Ｎ）の場合は、ＦＬ１がＦＬ１＝「１０」であることを意味している。ＦＬ１＝「１０」は直前シート有りで且つ直前シートと現在シートとが異なることを意味しており、また、前記ＳＴＡ４０が実行されたことを意味している。前記ＳＴＡ４０は、図Ａ３８で今回のシートと直前のシートとが異なると判断された場合に実行された処理（ジョブの途中で給紙トレイが変更された場合の処理）である。このＳＴＡ４０では、直前のシートに対して設定されたデューティ比ｄの閾値ｄ０がｄ０′＝ｄ０として記憶されている。この場合（ＳＴＡ４６でノー（Ｎ）の場合）はＳＴＡ４８に移る。
ＳＴＡ４８において、積算時間リセット要求フラグＦＬｒ＝「１」とする。
前記ＳＴＡ４８の次にＳＴＡ４９に移る。
ＳＴＡ４９において積算時間リセット要求フラグＦＬｒ＝「０」になったか否か判断する。ノー（Ｎ）の場合はＳＴＡ４９を繰り返し実行する。
【００７６】
前記ＳＴＡ４８において、ＦＬｒ＝「１」になると、後述する図１３のＳＴＡ６９および図１４のＳＴＡ６９′が実行されて小サイズシート用ヒータｈ１の積算点灯時間ｔａおよび大サイズシート用ヒータｈ２の積算点灯時間ｔｂがリセットされてｔａ＝ｔｂ＝０となる。この時同時に、後述する図１５のＳＴＡ７７が実行されて、デューティ比計測時間ｔｃがリセットされ且つ現在のデューティ比ｄが計測されてから、ＦＬｒ＝「０」とされる。
したがって、前記ＳＴＡ７７でＦＬｒ＝「０」とされると、ＳＴＡ４９においてイエス（Ｙ）となる。ＳＴＡ４９でイエス（Ｙ）の場合はＳＴＡ５０に移る。
【００７７】
次にＳＴＡ５０において計測したデューティ比ｄがｄ０′に対してｄ＜ｄ０′か否か判断する。ＳＴＡ３５のレジロールの回転開始により搬送開始された今回のシート（現在シート）が直前のシートと異なる場合は、前記ｄ０′の値は、直前のシートに対して設定されている図７の閾値記憶テーブルに設定された閾値ｄ０の値である。なお前記ｄ０の値は、今回のシートおよび直前のシートが同一の場合はその同一シートに対して設定されている図７の閾値記憶テーブルに設定された閾値ｄ０の値である。
ＳＴＡ５０においてノー（Ｎ）の場合は計測したデューティ比ｄが閾値よりも高いので、定着ニップＱ５を形成する定着用回転部材Ｆｈ，Ｆｐに多くの熱が蓄積されていないと判断できる。この場合はＳＴＡ５１に移る。
ＳＴＡ５１において次の処理を実行する。
（１）デューティ比異常判別フラグＦＬ２＝「０」とする。ＦＬ２＝「０」は、定着用回転部材Ｆｈ，Ｆｐに多くの熱が蓄積されていない状態（正常状態）であることを意味する。
（２）デューティ比計測処理用判別フラグＦＬ１＝「０１」とする。すなわち、直前シート有りとする。
【００７８】
前記ＳＴＡ５０においてイエス（Ｙ）の場合は計測したデューティ比ｄが閾値よりも低いので、定着ニップＱ５を形成する定着用回転部材Ｆｈ，Ｆｐに多くの熱が蓄積されていると判断できる。この場合はＳＴＡ５２に移る。
ＳＴＡ５２において次の処理を実行する。
（１）デューティ比異常判別フラグＦＬ２＝「１」とする。ＦＬ２＝「１」は、定着用回転部材Ｆｈ，Ｆｐに多くの熱が蓄積されている状態（異常状態）であることを意味する。この場合、画像記録が開始されていないシートが残っている場合には新たなシートの搬送を中止して画像記録動作を中断し、搬送中の全シートを排出した後に冷却処理を実行する必要がある。したがって、ＦＬ２＝「１」になると、後述する図１９のＳＴＡ１１１においてイエス（Ｙ）となり、図１９、図２０のＳＴＡ１２０〜ＳＴＡ１３３の冷却処理を実行する。これについては後述する。
（２）ＦＬ１＝「００」とする。ＦＬ１＝「００」は直前シート無しを意味する。すなわち、冷却処理が完了するまで新たなシートの給紙が開始されないので、次に給紙するシートに対しては直前シート無しであることを意味する。
（３）ヒータ点灯時間計測要求フラグＦＬｔ＝「０」とする。すなわち、冷却処理を行う間はヒータ点灯時間の計測は実行しない。
前記ＳＴＡ５１、ＳＴＡ５２の次に前記ＳＴ３２に戻る。
【００７９】
（図１３の小サイズシート用ヒータｈ１オン時間積算処理）
図１３は前記ＳＴ１２のサブルーチン（２）であり、小サイズシート用ヒータｈ１のオン時間（ｔａ）の積算処理のフローチャートである。
ＳＴ１２のサブルーチン（２）である図１３の処理は前記図１０のＳＴ１２の処理が開始されると同時に開始される。また、ＳＴ１２のサブルーチン（２）はＳＴ１２の他のサブルーチン（１），（３）〜（８）と並行してマルチタスクで実行される。
図１３のＳＴ６１において記録すべき画像データが有るか否か判断する。イエス（Ｙ）の場合はＳＴ６２に移る。
ＳＴ６２において、ヒータオンオフ時間計測要求フラグＦＬｔ＝「１」か否か判断する。ノー（Ｎ）の場合はＳＴ６３に移る。ＳＴ６３において次の処理を実行する。
（１）小サイズシート用ヒータｈ１オン時間積算タイマＴＭａの時間計測を停止する。
（２）小サイズシート用ヒータｈ１オン時間ｔａをｔａ＝０とする。
次に前記ＳＴ６１に戻る。
【００８０】
前記ＳＴ６２においてイエス（Ｙ）の場合はＳＴ６４に移る。
ＳＴ６４において積算時間リセット要求フラグＦＬｒ＝「１」か否か判断する。ノー（Ｎ）の場合はＳＴ６５に移る。
ＳＴ６５において、小サイズシート用ヒータｈ１がオンの状態か否か判断する。イエス（Ｙ）の場合はＳＴ６６に移り、ノー（Ｎ）の場合はＳＴ６７に移る。
ＳＴ６６において、小サイズシート用ヒータｈ１オン時間積算タイマＴＭａの時間計測を行って小サイズシート用ヒータｈ１のオン時間ｔａを積算する。
ＳＴ６７において、小サイズシート用ヒータｈ１オン時間積算タイマＴＭａの時間計測を停止する。なおこのときは、ＴＭａの積算時間ｔａの値を保持する。
前記ＳＴ６６およびＳＴ６７の次に、前記ＳＴ６１に戻る。
【００８１】
前記ＳＴ６４においてイエス（Ｙ）の場合（すなわち、積算時間リセット要求フラグＦＬｒ＝「１」の場合）はＳＴ６８に移る。
ＳＴ６８においてｔａ′＝ｔａとする。このとき記憶されたｔａ′の値は後述する図１５のＳＴ７７においてデューティ比ｄ＝ｔｂ′／（ｔａ′＋ｔｂ′）を演算する際に使用される。
次にＳＴ６９において、小サイズシート用ヒータｈ１オン時間積算タイマＴＭａの計測時間（小サイズシート用ヒータｈ１オンの積算時間）ｔａ＝０とする。
次に前記ＳＴ６１に戻る。
前記ＳＴ６１においてノー（Ｎ）の場合はＳＴ７０に移る。
ＳＴ７０において次の処理を実行する。
（１）小サイズシート用ヒータｈ１オン時間積算タイマＴＭａの時間計測を停止する。
（２）小サイズシート用ヒータｈ１オン時間ｔａをｔａ＝０とする。
次にＳＴ１２のサブルーチン（２）を終了する。
【００８２】
（図１４の大サイズシート用ヒータｈ２オン時間積算処理）
図１４は前記ＳＴ１２のサブルーチン（３）であり、大サイズシート用ヒータｈ２のオン時間（ｔｂ）の積算処理のフローチャートである。
ＳＴ１２のサブルーチン（３）である図１４の処理は前記図１０のＳＴ１２の処理が開始されると同時に開始される。また、ＳＴ１２のサブルーチン（３）はＳＴ１２の他のサブルーチン（１），（２），（４）〜（８）と並行してマルチタスクで実行される。
図１４のＳＴ６１′において記録すべき画像データが有るか否か判断する。イエス（Ｙ）の場合はＳＴ６２′に移る。
ＳＴ６２′において、ヒータオンオフ時間計測要求フラグＦＬｔ＝「１」か否か判断する。ノー（Ｎ）の場合はＳＴ６３′に移る。ＳＴ６３′において次の処理を実行する。
（１）大サイズシート用ヒータｈ２オン時間積算タイマＴＭｂの時間計測を停止する。
（２）大サイズシート用ヒータｈ２オン時間ｔｂをｔｂ＝０とする。
次に前記ＳＴ６１′に戻る。
【００８３】
前記ＳＴ６２′においてイエス（Ｙ）の場合はＳＴ６４′に移る。
ＳＴ６４′において積算時間リセット要求フラグＦＬｒ＝「１」か否か判断する。ノー（Ｎ）の場合はＳＴ６５′に移る。
ＳＴ６５′において、大サイズシート用ヒータｈ２がオンの状態か否か判断する。イエス（Ｙ）の場合はＳＴ６６′に移り、ノー（Ｎ）の場合はＳＴ６７′に移る。
ＳＴ６６′において、大サイズシート用ヒータｈ２オン時間積算タイマＴＭｂの時間計測を行って大サイズシート用ヒータｈ２のオン時間ｔｂを積算する。
ＳＴ６７′において、大サイズシート用ヒータｈ２オン時間積算タイマＴＭｂの時間計測を停止する。なおこのときは、ＴＭｂの積算時間ｔｂの値を保持する。
前記ＳＴ６６′およびＳＴ６７′の次に、前記ＳＴ６１′に戻る。
【００８４】
前記ＳＴ６４′においてイエス（Ｙ）の場合（すなわち、積算時間リセット要求フラグＦＬｒ＝「１」の場合）はＳＴ６８′に移る。
ＳＴ６８′においてｔｂ′＝ｔｂとする。このとき記憶されたｔｂ′の値は後述する図１５のＳＴ７７においてデューティ比ｄ＝ｔｂ′／（ｔａ′＋ｔｂ′）を演算する際に使用される。
次にＳＴ６９′において、大サイズシート用ヒータｈ２オン時間積算タイマＴＭｂの計測時間（大サイズシート用ヒータｈ２オンの積算時間）ｔｂ＝０とする。
次に前記ＳＴ６１′に戻る。
前記ＳＴ６１においてノー（Ｎ）の場合はＳＴ７０′に移る。
ＳＴ７０′において次の処理を実行する。
（１）大サイズシート用ヒータｈ２オン時間積算タイマＴＭｂの時間計測を停止する。
（２）大サイズシート用ヒータｈ２オン時間ｔｂをｔｂ＝０とする。
次にＳＴ１２のサブルーチン（３）を終了する。
【００８５】
（図１５のデューティ比計測時間（ｔｃ）の計測処理およびデューティ比ｄの計測処理）
図１５は前記ＳＴ１２のサブルーチン（４）であり、デューティ比計測時間（ｔｃ）の計測処理およびデューティ比ｄの計測処理のフローチャートである。
ＳＴ１２のサブルーチン（４）である図１５の処理は前記図１０のＳＴ１２の処理が開始されると同時に開始される。また、ＳＴ１２のサブルーチン（４）はＳＴ１２の他のサブルーチン（１）〜（３），（５）〜（８）と並行してマルチタスクで実行される。
図１５のＳＴ７１において記録すべき画像データが有るか否か判断する。イエス（Ｙ）の場合はＳＴ７２に移る。
ＳＴ７２において、ヒータオンオフ時間計測要求フラグＦＬｔ＝「１」か否か判断する。ノー（Ｎ）の場合はＳＴ７３に移る。ＳＴ７３において次の処理を実行する。
（１）デューティ比計測時間（ヒータオンオフ制御時間）計測タイマＴＭｃの時間計測を停止する。
（２）デューティ比計測時間（ヒータオンオフ制御時間）計測タイマＴＭｃの計測時間ｔｃ＝０とする。
次に前記ＳＴ７１に戻る。
【００８６】
前記ＳＴ７２においてイエス（Ｙ）の場合はＳＴ７４に移る。
ＳＴ７４において、デューティ比計測時間（ヒータオンオフ制御時間）計測タイマＴＭｃを作動させて経過時間ｔｃを計測する。
次にＳＴ７５において積算時間リセット要求フラグＦＬｒ＝「１」か否か判断する。ノー（Ｎ）の場合は前記ＳＴ７１に戻るる。
前記ＳＴ７５においてイエス（Ｙ）の場合（すなわち、積算時間リセット要求フラグＦＬｒ＝「１」の場合）はＳＴ７６に移る。
ＳＴ７６においてｔｃ′＝ｔｃとする。このとき記憶されたｔｃ′の値は本実施の形態１では使用しない。
【００８７】
次にＳＴ７７において、次の処理を実行する。
（１）制御用デューティ比ｄを次式により演算する。
ｄ＝ｔｂ′／（ｔａ′＋ｔｂ′）
（２）デューティ比計測時間（ヒータオンオフ制御時間）計測タイマＴＭｃの計測時間ｔｃをｔｃ＝０とする。
（３）積算時間リセット要求フラグＦＬｒ＝「０」とする。
なお、前記ＳＴ７７の処理（１）を前記図１４のＳＴ６８′で実行し、且つ前記ＳＴ７７の処理（３）を前記図１４のＳＴ６９′で実行することにより、図１５のＳＴ１２のサブルーチン（４）は省略することが可能である。
また、前記ＳＴ７６において記憶したｔｃ′を使用して制御用デューティ比ｄを次式（１）または（２）により演算し、式（１）または（２）で演算した制御用デューティ比ｄによりヒータ制御を行うことも可能である。これについては図２５により後述する。
（１）ｄ＝ｔａ′／ｔｃ′
（２）ｄ＝ｔｂ′／ｔｃ′
【００８８】
前記ＳＴ７７の次に前記ＳＴ７１に戻る。
前記ＳＴ７１においてノー（Ｎ）の場合はＳＴ７８に移る。
ＳＴ７８において次の処理を実行する。
（１）デューティ比計測時間（ヒータオンオフ制御時間）計測タイマＴＭｃの時間計測を停止する。
（２）デューティ比計測時間（ヒータオンオフ制御時間）計測タイマＴＭｃの計測時間ｔｃ＝０とする。
ＳＴ７８処理を終了するとＳＴ１２のサブルーチン（４）が終了する。
【００８９】
（図１６のプリントスタート基準信号ＰＳＫの出力制御処理）
図１６は前記ＳＴ１２のサブルーチン（５）であり、プリントスタート基準信号ＰＳＫの出力制御処理のフローチャートである。
このＳＴ１２のサブルーチン（５）はＳＴ１２の他のサブルーチンと並行してマクチタスクで実行される。
ＳＴ１２が開始されると、図１６のＳＴＡ８１において、ジョブ中の画像記録頁番号ｍ＝０する。
次にＳＴＡ８２においてｍ＝ｍ＋１とする。
次にＳＴＡ８３において記録すべき画像データが有るか否か判断する。ノー（Ｎ）の場合はＳＴ１２のサブルーチン（５）（すなわち、図１６に示すプリントスタート基準信号ＰＳＫ出力制御処理）を終了する。
ＳＴＡ８３においてイエス（Ｙ）の場合はＳＴＡ８４に移る。
ＳＴＡ８４においてｍ≧２か否か判断する。ノー（Ｎ）の場合はＳＴＡ８６に移り、イエス（Ｙ）の場合はＳＴＡ８５に移る。
【００９０】
ＳＴＡ８５において、直前の頁｛（ｍ−１）頁｝の画像記録時のシートサイズＳ１に対応して設定されたプリントスタート基準信号ＰＳＫのパルス間隔を記憶する。次にＳＴＡ８６に移る。
ＳＴＡ８６において、次の処理を実行する。
（１）給紙されたシートサイズＳ１を記憶する。
（２）ｍ，Ｓ１に応じたプリントスタート基準信号ＰＳＫ（パルス信号）のパルス間隔を設定する。
【００９１】
ＳＴＡ８７においてジョブ中の画像記録頁番号ｍがｍ≧２か否か判断する。ノー（Ｎ）の場合はジョブの頁番号ｍ＝１の画像記録であることを意味する。この場合はＳＴＡ８８に移る。
ＳＴＡ８８においてｍ＝１（ジョブ中の画像記録頁番号）、Ｓ１（シートサイズ）に対して設定されたパルス間隔でＰＳＫパルスの出力を開始する。
ＳＴＡ８７においてイエス（Ｙ）の場合はジョブの頁番号ｍがｍ＝２以降の画像記録であることを意味する。この場合はＳＴＡ８９に移る。
ＳＴＡ８９においてジョブ中の画像記録頁番号（ｍ−１）頁の画像記録時のシートサイズＳ１に対して設定されたパルス間隔（前頁のパルス間隔）でＰＳＫパルスの出力を開始する。
ＳＴＡ９０において、頁番号ｍの画像記録が開始されたか否か判断する。ノー（Ｎ）の場合はＳＴＡ９０を繰り返し実行する。
後述するＳＴ１２のサブルーチン（６）のＳＴＡ９７（図１７参照）の処理が実行されると、ＳＴＡ９７の処理に応じて、ＳＴ１２のサブルーチン（７）のＳＴＡ１０３（図１８参照）で頁番号ｍの画像記録動作が開始される。このときに、ＳＴＡ９０においてイエス（Ｙ）となる。イエス（Ｙ）の場合は前記ＳＴＡ８２に戻る。
【００９２】
（図１７のジョブ実行時の各頁ｍの画像記録動作開始指示信号出力制御処理）
図１７は前記ＳＴ１２のサブルーチン（６）であり、ジョブ実行時の各頁ｍ（ｍ＝１，２，…）の画像記録動作開始指示信号出力制御処理のフローチャートである。
このＳＴ１２のサブルーチン（６）はＳＴ１２の他のサブルーチンと並行してマクチタスクで実行される。
図１７のＳＴＡ９１においてジョブ中の画像記録頁番号ｍをｍ＝０とする。
ＳＴＡ９２においてｍ＝ｍ＋１とする。
ＳＴＡ９３において記録すべき画像データが有るか否か判断する。ノー（Ｎ）の場合は図１７の画像記録動作開始指示信号出力制御処理を終了する。イエス（Ｙ）の場合はＳＴＡ９４に移る。
ＳＴＡ９４においてプリントスタート基準信号ＰＳＫのパルスが出力されたか否か判断する。ノー（Ｎ）の場合はＳＴＡ９４を繰り返し実行する。イエス（Ｙ）の場合はＳＴＡ９５に移る。
【００９３】
ＳＴＡ９５において定着ニップ中央温度センサＳＮ１の検出温度Ｔ１がジョブ時下限定着温度Ｔ１ｊａに対してＴ１≧Ｔ１ｊａか否か判断する。ノー（Ｎ）の場合は前記ＳＴＡ９４に戻る。イエス（Ｙ）の場合はＳＴＡ９６に移る。
ＳＴＡ９６においてデューティ比異常判別フラグＦＬ２＝「０」か否か判断する。ノー（Ｎ）の場合は制御用デューティ比ｄがｄ＜ｄ０すなわち、（ＦＬ２＝「１」）であり異常状態であるので、前記ＳＴＡ９４に戻る。ｄ＜ｄ０すなわち、（ＦＬ２＝「１」）になった場合には、新たな頁の画像記録開始信号を出力せずに、画像記録中のシートの排出を待ってから定着装置の冷却処理を実行して（ＦＬ２＝「０」）になるのを待つ。
ＳＴＡ９４、ＳＴＡ９５、ＳＴＡ９６が同時にイエス（Ｙ）になった場合には、ＳＴＡ９７に移る。
ＳＴＡ９７において頁番号ｍの画像記録動作開始指示信号を出力する。
次に前記ＳＴＡ９２に戻る。
【００９４】
（図１８のジョブ実行時の各頁番号ｍの画像記録動作の制御処理）
図１８は前記ＳＴ１２のサブルーチン（７）であり、ジョブ実行時の各頁番号ｍの画像記録動作の制御処理のフローチャートである。
このＳＴ１２のサブルーチン（７）は異なる各頁に対して別々に実行されるサブルーチンであり、頁が異なる複数のサブルーチン（７）が平行して同時に実行され、且つＳＴ１２の他のサブルーチンと並行してマクチタスクで実行される。なお、この図１８に示す各頁番号ｍの画像記録動作の制御処理は、各頁番号ｍの画像毎に独立して実行される。また、複数の各頁番号ｍの画像記録動作は並行してマルチタスクで実行される。
図１８のＳＴＡ１０１において、記録すべき画像データが有るか否か判断する。ノー（Ｎ）の場合は頁番号ｍの画像記録動作の制御処理を終了する。
ＳＴＡ１０２において、頁番号ｍの画像記録動作開始指示信号が出力されたか否か判断する。ノー（Ｎ）の場合はＳＴＡ１０２を繰り返し実行する。前記図１７のＳＴＡ９７において頁番号ｍの画像記録動作開始指示信号が出力されると、ＳＴＡ１０２においてイエス（Ｙ）となる。イエス（Ｙ）になった場合はＳＴＡ１０３に移る。
【００９５】
ＳＴＡ１０３において次の処理を実行する。
（１）画像記録動作制御用タイマＴＭ２をオンにする。
（２）タイマＴＭ２がオンした時を基準にして頁番号ｍの画像記録動作を開始する。
次にＳＴＡ１０４において頁番号ｍの画像記録動作を実行して画像記録したシートを排紙トレイＴＲｈ（図１参照）に排紙する。
前記シートを排紙トレイＴＲｈ（図１参照）に排紙してから、頁番号ｍの画像記録動作の制御処理を終了する。
【００９６】
（図１９、図２０のジョブ実行時のヒータ制御処理）
図１９は前記ＳＴ１２のサブルーチン（８）であり、ジョブ実行時のヒータ制御処理のフローチャートである。
このＳＴ１２のサブルーチン（８）はＳＴ１２の他のサブルーチンと並行してマクチタスクで実行される。
図１９のＳＴ１０７において画像記録に使用するシートサイズが設定されているか否か判断する。一般的には給紙トレイに収容されているシートサイズが定型サイズシートの場合は画像記録に使用するシートサイズは自動的に検出されるが、非定型サイズシートが給紙トレイに収容されている場合や、手差トレイから給紙する場合等にはシートサイズが設定される。
前記ＳＴ１０７においてノー（Ｎ）の場合はＳＴ１０８に移る。
【００９７】
ＳＴ１０８において、シートサイズ設定無しの場合のヒータ制御処理を実行する。なお、シートサイズ設定無しの場合、画像データサイズに応じたサイズのシートを使用したり、１頁目の画像記録に使用したシートサイズのシートを全ジョブに対して使用したりするシート選択方法が従来公知である。したがって、前記シート選択方法に応じてＳＴ１０８のヒータ制御処理は異なるが、本実施の形態１では画像データサイズが異なる頁の画像は、１頁目のシートと同じサイズのシートに縮尺または拡大して記録する方法を採用する。その場合のヒータ制御のフローチャートはシートサイズを設定した場合と同様になる。ＳＴ１０８を終了するとＳＴ１２のサブルーチン（８）を終了する。
【００９８】
前記ＳＴ１０７においてイエス（Ｙ）の場合はＳＴ１０９に移る。ＳＴ１０９において画像記録されるシートの幅方向サイズＳＳの設定値がＡ４シートのショートエッジの長さＡ４ＳＥに対して、ＳＳ≧Ａ４ＳＥか否か判断する。ノー（Ｎ）の場合は画像記録されるシートの幅方向サイズＳＳがＡ４ＳＥ（Ａ４ショートエッジ長さ）未満の小サイズシートであることを意味する。この場合、ＳＴ１１０に移る。
ＳＴ１１０において、シートサイズＳＳがＡ４ＳＥよりも小さい場合のヒータ制御を実行する。この場合、大サイズシート用ヒータｈ２を使用せずに、小サイズシート用ヒータｈ１のみをオンオフ制御して、第１温度センサＳＮ１の検出温度Ｔ１がジョブ時下限定着温度Ｔ１ｊａ（１８３℃）とジョブ時上限定着温度Ｔ１ｊｂ（１８７℃）に対してＴ１ｊａ≦Ｔ１≦Ｔ１ｊｂとなるように小サイズシート用ヒータｈ１を点灯制御する。ＳＴ１１０を終了するとＳＴ１２のサブルーチン（８）を終了する。
【００９９】
前記ＳＴ１０９においてイエス（Ｙ）の場合は画像記録されるシートの幅方向サイズＳＳがＡ４ＳＥ（Ａ４ショートエッジ長さ）以上の大サイズシートであることを意味する。この場合、ＳＴ１１１に移る。
ＳＴＡ１１１において、デューティ比異常判別フラグＦＬ２＝「１」か否か判断する。ノー（Ｎ）の場合（正常の場合）はＳＴＡ１１２に移る。
ＳＴＡ１１２においてＴ１≧Ｔ１ｊａか否か判断する。Ｔ１は中央部定着温度センサＳＮ１の検出温度であり、Ｔ１ｊａはジョブ時の定着部中央部の下限設定温度である。ＳＴＡ１１２においてノー（Ｎ）の場合はＳＴＡ１１３に移る。
ＳＴＡ１１３においてＴ２≦１７０℃か否か判断する。ノー（Ｎ）の場合はＳＴＡ１１４に移る。
ＳＴＡ１１４において小サイズシート用ヒータｈ１をオンにする。次にＳＴＡ１１８に移る。
前記ＳＴＡ１１３においてイエス（Ｙ）の場合はＳＴＡ１１５に移る。
ＳＴＡ１１５において大サイズシート用ヒータｈ２をオンにしてＳＴＡ１１８に移る。
【０１００】
前記ＳＴＡ１１２においてイエス（Ｙ）の場合はＳＴＡ１１６に移る。
ＳＴＡ１１６においてＴ１≦Ｔ１ｊｂか否か判断する。Ｔ１ｊｂはジョブ時の定着部中央部の上限設定温度である。ＳＴＡ１１６においてノー（Ｎ）の場合はＳＴＡ１１７において小サイズシート用ヒータｈ１および大サイズシート用ヒータｈ２をオフにしてＳＴＡ１１８に移る。ＳＴＡ１１６においてイエス（Ｙ）の場合はＳＴＡ１１８に移る。
ＳＴＡ１１８においてジョブ終了か否か判断する。ノー（Ｎ）の場合は前記ＳＴＡ１１１に戻る。イエス（Ｙ）の場合はＳＴＡ１１９において全ヒータ（小サイズシート用ヒータｈ１および大サイズシート用ヒータｈ２）をオフにして、図１９、図２０のジョブモード時のヒータ制御処理を終了する。
【０１０１】
前記ＳＴＡ１１１においてイエス（Ｙ）の場合（デューティ比異常判別フラグＦＬ２＝「１」の場合、すなわち、制御用デューティ比が異常の場合）は、新規シートの給紙を中止して搬送中の全シートを排出する必要がある。ＳＴＡ１１１においてイエス（Ｙ）の場合はＳＴＡ１２０に移る。
ＳＴＡ１２０において搬送中のシート有りか否か判断する。イエス（Ｙ）の場合はＳＴＡ１２１に移る。
ＳＴＡ１２１においてＴ１≧Ｔ１ｊａか否か判断する。ＳＴＡ１２１においてノー（Ｎ）の場合はＳＴＡ１２２に移る。
ＳＴＡ１２２においてＴ２≦１７０℃か否か判断する。ノー（Ｎ）の場合はＳＴＡ１２３に移る。
ＳＴＡ１２３において小サイズシート用ヒータｈ１をオンにする。次に前記ＳＴＡ１２０に戻る。
【０１０２】
前記ＳＴＡ１２２においてイエス（Ｙ）の場合はＳＴＡ１２４に移る。
ＳＴＡ１２４において大サイズシート用ヒータｈ２をオンにして前記ＳＴＡ１２０に戻る。
前記ＳＴＡ１２１においてイエス（Ｙ）の場合はＳＴＡ１２５に移る。
ＳＴＡ１２５においてＴ１≦Ｔ１ｊｂか否か判断する。ＳＴＡ１２５においてノー（Ｎ）の場合はＳＴＡ１２６においてヒータオフにして前記ＳＴＡ１２０に戻る。
ＳＴＡ１２０においてノー（Ｎ）の場合は図２０のＳＴＡ１２７に移る。
【０１０３】
図２０は前記ＳＴ１２のサブルーチン（８）で、ジョブ実行時のヒータ制御処理のフローチャートであり、前記図１９の続きのフローチャートである。
図２０のＳＴ１２７において全ヒータｈ１，ｈ２をオフにする。
次にＳＴＡ１２８においてジョブ終了か否か判断する。ノー（Ｎ）の場合はＳＴＡ１２９に移り冷却処理（ＳＴ１２９〜ＳＴ１３３）を実行する。
ＳＴＡ１２９において冷却処理経過時間計測タイマＴＭ３をオンにする。このとき、定着ロールの回転は続行する。
次にＳＴＡ１３０において、直前に画像記録して排紙したシートのシートサイズＳ１、シート種類Ｓ２に対応する冷却処理期間の長さの最大値を設定する最大待ち時間ｔ３ａ（図８のテーブル参照）および、給紙許可温度ｋ設定値Ｔ２ａ（図８のテーブル参照）を読み込む。
ＳＴＡ１３１においてタイマＴＭ３の計測時間ｔ３が最大設定待ち時間ｔ３ａ（図８参照）に対してｔ３≧ｔ３ａか否か判断する。ノー（Ｎ）の場合はＳＴＡ１３２に移る。
ＳＴＡ１３２において第２温度センサＳＮ２の検出温度Ｔ２が給紙可能設定温度Ｔ２ａ（図８参照）に対して、Ｔ２≦Ｔ２ａか否か判断する。ノー（Ｎ）の場合は前記ＳＴＡ１３１に移る。
【０１０４】
前記ＳＴＡ１３１またはＳＴＡ１３２においてイエス（Ｙ）の場合は次のことを意味する。すなわち、小サイズシート用ヒータｈ１および大サイズシート用ヒータｈ２をオフにした後、図８の最大待ち時間ｔ３ａが経過したか、または第２温度センサＳＮ２の検出温度Ｔ２が給紙可能設定温度Ｔ２ａ以下になったことを意味する。この場合は、ＳＴＡ１３３に移る。
ＳＴＡ１３３において次の処理を実行する。
（１）冷却処理経過時間計測タイマＴＭ３をオフにする。
（２）デューティ比異常判別フラグＦＬ２＝「０」とする。
次に前記図１９のＳＴＡ１１１に戻る。
前記ＳＴＡ１２８において、イエス（Ｙ）の場合は図１９および図２０のジョブモード時のヒータ制御処理すなわち、ＳＴ１２のサブルーチン（８）の処理を終了する。
【０１０５】
（図２１の待機モード時ヒータ制御処理）
図２１は前記図１０のＳＴ１４のサブルーチンであり、待機モード時ヒータ制御処理のサブルーチンである。
図２１のＳＴＡ１４１においてＴ１≧Ｔ１ｔａか否か判断する。ノー（Ｎ）の場合はＳＴＡ１４２においてヒータオンにする。
前記ＳＴＡ１４１においてイエス（Ｙ）の場合はＳＴＡ１４３に移る。
ＳＴＡ１４３においてＴ１≦Ｔ１ｔｂか否か判断する。ＳＴＡ１４３においてノー（Ｎ）の場合はＳＴＡ１４４においてヒータオフする。
前記ＳＴＡ１４２、ＳＴＡ１４４の後、またはＳＴＡ１４３でイエス（Ｙ）の場合は図２１の待機モード時ヒータ制御処理のサブルーチンを終了する。
【０１０６】
（図２２の第１イレーズモードの制御処理）
図２２は前記図１０のＳＴ１９のサブルーチンであり、第１イレーズモードの制御処理のサブルーチンである。
図１０のＳＴ１９の第１イレーズモードの制御処理が開始されると、図２２のＳＴＡ１５１において、次の処理を実行する。
（１）回転部材（感光体（像担持体）、定着ロール等）の回転継続。
（２）帯電ロールに帯電バイアス（−５００Ｖ）印加。
（３）全ヒータ（小サイズシート用ヒータｈ１および大サイズシート用ヒータｈ２）オフ。
（４）タイマＴＭ４に時間ｔ４ａ（ｔ４ａ＝４〜５ｓｅｃ）セット。
次にＳＴＡ１５２においてタイマＴＭ４はタイムアップしたか否か判断する。ノー（Ｎ）の場合はＳＴＡ１５２を繰り返し実行する。イエス（Ｙ）の場合はＳＴＡ１５３に移る。
ＳＴＡ１５３において次の処理を実行する。
（１）回転部材の回転停止。
（２）帯電バイアス印加停止。
次に図２２の第１イレーズモードの制御処理を終了する。
【０１０７】
（図２３の第２イレーズモードの制御処理）
図２３は前記図１０のＳＴ１８のサブルーチンであり、第２イレーズモードの制御処理のサブルーチンである。
図１０のＳＴ１８の第２イレーズモードの制御処理が開始されると、図２３のＳＴＡ１６１において、次の処理を実行する。
（１）回転部材（感光体（像担持体）、定着ロール等）の回転継続。
（２）帯電ロールに帯電バイアス（−５００Ｖ）印加。
（３）全ヒータ（小サイズシート用ヒータｈ１および大サイズシート用ヒータｈ２）オフ。
（４）タイマＴＭ４に時間ｔ４ｂ（ｔ４ｂ＝ｔ４ａ＋１０ｓｅｃ＝１４〜１５ｓｅｃ）をセット。
次にＳＴＡ１６２においてタイマＴＭ４はタイムアップしたか否か判断する。ノー（Ｎ）の場合はＳＴＡ１６２を繰り返し実行する。イエス（Ｙ）の場合は図２３の第２イレーズモードの制御処理を終了する。
【０１０８】
（実施の形態１の作用）
図２４は前記構成を備えた実施の形態１のタイムチャートである。
図２４において、電源オン時の定着ニップの温度（第１温度センサＳＮ１の検出温度）は室温である。
ジョブ開始入力が有ると、第１温度センサＳＮ１の検出温度Ｔ１が、ジョブ時下限設定温度Ｔ１ｊａ以上に上昇するまで大サイズシート用ヒータｈ２または小サイズシート用ヒータｈ１がオンとされる。そして、ジョブ期間中は中央部検出温度Ｔ１がジョブ時下限設定温度Ｔ１ｊａ以上且つジョブ時上限定着温度Ｔ１ｊｂ以下となるようヒータｈ１またはｈ２のオンオフ制御が行われる。
前記ヒータｈ１またはｈ２のいずれをオンにするかは、次のようにして決定する。すなわち、第２温度センサＳＮ２の検出温度Ｔ２が１７０℃以下の場合は大サイズシート用ヒータｈ２をオンにし（点灯し）、１７０℃よりも大きい場合には小サイズシート用ヒータｈ１をオンにする（点灯する）。
すなわち、このときのヒータのオンオフ制御は、図１９、図２０のフローチャートの処理により実行される。
【０１０９】
ジョブ実行期間中にデューティ比異常判別フラグＦＬ２がＦＬ２＝「１」になると、ジョブを中断する。ＦＬ２＝「１」場合には、図１７のＳＴＡ９６でイエス（Ｙ）とならないので、ＰＳＫパルスが出力されても、ＳＴＡ９７に移ることはない。前記ＳＴＡ９７に移らない限り、新たな頁の画像記録動作は開始されない。
前記ＦＬ２＝「１」の状態では、図１９、図２０のジョブモード時のヒータ制御処理のＳＴＡ１２０において、搬送中の全シートが排出されると、ＳＴＡ１２８でジョブが終了したか否か判断される。ＳＴＡ１２８でノー（Ｎ）の場合はＳＴＡ１２９〜ＳＴＡ１３３の冷却処理（冷却動作）が実行される。図２４に示すように、冷却処理を実行すると、定着ニップＱ５の温度が低下する。
【０１１０】
図１９、図２０のＳＴＡ１３０〜１３３の冷却処理が終了するとＳＴＡ１３３においてデューティ比異常判別フラグＦＬ２＝「０」となるので、図１９のＳＴＡ１１１においてノー（Ｎ）となり、ＳＴＡ１１１〜ＳＴＡ１１８のジョブ時温度制御が行われる。また、図１７のＳＴＡ９６においてイエス（Ｙ）となり、ＳＴＡ９７において、新たにｍ頁の画像記録動作開始信号が出力される。このとき、図１８のＳＴＡ１０２においてイエス（Ｙ）となり、ＳＴＡ１０３、ＳＴＡ１０４のｍ頁目の画像記録が実行される。すなわち、ＳＴＡ１３３においてデューティ比異常判別フラグＦＬ２＝「０」になると、中断していたジョブが再開される。
【０１１１】
（実験例１）
図２５は制御用デューティ比の検出値によりヒータのオンオフ制御をする場合の有効性を説明するために、使用するシートサイズがＡ４ＬＥＦである場合（大サイズシート用ヒータｈ２および小サイズシート用ヒータｈ１を交互に点灯して定着温度制御するシートサイズの場合）に、シートサイズを正常にＡ４ＬＥＦに設定した場合（正常操作の場合）と、誤操作によりシート幅８０ｍｍ（小サイズシート用ヒータｈ１のみを点灯制御して定着温度制御すべきシート幅）に設定した場合の定着温度推移およびデューティ比推移を示す図であり、図２５Ａは正常操作の場合の定着温度推移を示す図、図２５Ａは誤操作の場合の定着温度推移を示す図、図２５Ｃは正常操作の場合のデューティ比推移を示す図、図２５Ｄは誤操作の場合のデューティ比推移を示す図である。
図２５Ａ、図２５Ｂにおいて、横軸はプリント枚数、縦軸は定着ロールの温度を示しており、実線は第１温度センサＳＮ１の検出温度、破線は第２温度センサＳＮ２の検出温度、２点鎖線は前記センサＳＮ１およびＳＮ２の中間位置に配置した温度センサの検出温度である。前記中間位置に配置した温度センサは図２５の実験データを得るために配置した温度センサである。
【０１１２】
図２５Ａおよび図２５Ｂから分かるように、シートサイズをＡ４ＬＥＦと正常に設定した場合は、前記各温度センサＳＮ１により検出される部分の温度はほぼ一定温度に保持されている。
しかしながら、実際のシート幅が８０ｍｍのシートであって小サイズシート用ヒータｈ１のみを点灯制御すべきシートを使用した際に、誤操作によりシートサイズをＡ４ＬＥＦに設定すると、大サイズシート用ヒータｈ２および小サイズシート用ヒータｈ１を交互に点灯制御して第１温度センサＳＮ１の検出温度Ｔ１がＴ１ｊａ≦Ｔ１≦Ｔ１ｊｂとなるように温度制御を行うことになる。この場合、第１温度センサＳＮ１と第２温度センサＳＮ２との中間部分の温度が異常に高くなる。
【０１１３】
図２５Ｃ、図２５Ｄにおいて、横軸はプリント枚数、縦軸はデューティ比を示しており、図２５Ｃ、図２５Ｄにおいて、実線、破線、２点鎖線の値は次の値である。
実線………ｔｂ／（ｔａ＋ｔｂ）の値（制御用デューティ比ｄ）
破線………ｔｂ／ｔｃ（大サイズシート用ヒータｈ２のデューティ比）
２点鎖線…ｔａ／ｔｃ（小サイズシート用ヒータｈ１のデューティ比）
なお、ｔｃ，ｔａ，ｔｂの意味は次の通りである。
ｔｃ：デューティ比計測時間
ｔａ：時間ｔｃ内の小サイズシート用ヒータｈ１の点灯時間の積算値
ｔｂ：時間ｔｃ内の大サイズシート用ヒータｈ２の点灯時間の積算値
【０１１４】
図２５Ｃ、図２５Ｄから分かるように、実際のシート幅が８０ｍｍのシートであって小サイズシート用ヒータｈ１のみを点灯制御すべきシートを使用した際に、誤操作によりシートサイズをＡ４ＬＥＦに設定すると、大サイズシート用ヒータｈ２および小サイズシート用ヒータｈ１を交互に点灯制御して第１温度センサＳＮ１の検出温度Ｔ１がＴ１ｊａ≦Ｔ１≦Ｔ１ｊｂとなるように温度制御を行うことになる。この場合、正常操作の場合の制御用デューティ比ｄ＝ｔｂ／（ｔａ＋ｔｂ）の値に比較して、誤操作の場合の制御用デューティ比ｄ＝ｔｂ／（ｔａ＋ｔｂ）の値はかなり低くなってしまう。
したがって、制御用デューティ比ｄを監視することにより定着ロールの異常な温度上昇を防止することができる。
すなわち、本実施の形態１では、制御用デューティ比ｄが閾値以下になると、冷却処理が実行されるので、温度センサにより検出できない領域に熱量が蓄積されて高温になるのを防止することができる。
【０１１５】
なお、図２５Ｃ、図２５Ｄに示す、破線で示すｔｂ／ｔｃ（大サイズシート用ヒータｈ２のデューティ比）および、２点鎖線で示すｔａ／ｔｃ（小サイズシート用ヒータｈ１のデューティ比）も、正常操作の場合（図２５Ｃの場合）と誤操作の場合（図２５Ｄの場合）とで値が異なるので、それらの値ｔａ／ｔｃ、ｔｂ／ｔｃを監視することによっても、定着ロールの異常な温度上昇を防止することが可能である。
したがって、制御用デューティ比として、ｔｂ／ｔｃまたはｔａ／ｔｃを採用して、定着温度制御を行うことが可能である。
【０１１６】
（実施の形態２）
図２６は本発明の画像形成装置の実施の形態２の要部説明図であり、制御デューティ比を演算するための大サイズシート用ヒータおよび小サイズシート用ヒータのデューティ比を検出するデューティ比検出回路の説明図である。
なお、この実施の形態２の説明において、前記実施の形態１と同一の構成については、説明を省略する。
この実施の形態２は、下記の点で前記実施の形態１と相違しているが、他の点では前記実施の形態１と同様に構成されている。
図２６において、デューティ比検出回路ＣＴは、小サイズシート用ヒータデューティ比検出回路ＣＴ１および大サイズシート用ヒータデューティ比検出回路ＣＴ２を有している。
【０１１７】
小サイズシート用ヒータデューティ比検出回路ＣＴ１は、小サイズシート用ヒータ駆動回路のヒーダオンオフスイッチＳＷ１ａと連動してオンオフするスイッチＳＷ１ｂを有している。前記小サイズシート用ヒータデューティ比検出回路ＣＴ１では、基準電圧源Ｖｒｅｆは直列接続された抵抗Ｒ１２、コンデンサＣ１２およびコンデンサＣ１１を介してアースされている。直列接続されたスイッチＳＷ１ｂおよび抵抗Ｒ１１は、前記直列接続された抵抗Ｒ１２およびコンデンサＣ１２と、並列に接続されている。
前記コンデンサＣ１１とコンデンサＣ１２との接続点の電圧Ｖ１はＡＤＣ１（アナログ／デジタルコンバータ１）に入力されており、ＡＤＣ１でＡ／Ｄ変換（アナログ／デジタル変換）された前記接続点の電圧Ｖ１のデジタル値Ｖ１ｄは、コントローラＣに入力されている。
【０１１８】
前記互いに連動してオンオフするスイッチＳＷ１ａおよびスイッチＳＷ１ｂは、コントローラＣにより制御されるスイッチ作動回路によって作動する。前記スイッチＳＷ１ａ，ＳＷ１ｂをオンにして小サイズシート用ヒータｈ１をオンにするとコンデンサＣ１１が充電され、前記スイッチＳＷ１ａ，ＳＷ１ｂをオフにして小サイズシート用ヒータｈ１をオフにするとコンデンサＣ１１が放電される。
前記小サイズシート用ヒータｈ１のオンオフに応じて充電、放電されるコンデンサＣ１１の電圧は、小サイズシート用ヒータｈ１のデューティ比（計測期間中のオン時間の割合）に応じて変化する。したがって、前記コンデンサＣ１１，Ｃ１２の容量および抵抗Ｒ１１，Ｒ１２の値を適当に設定することにより前記ＡＤＣ１の出力値Ｖ１ｄを小サイズシート用ヒータｈ１のデューティ比として使用可能である。
なお、小サイズシート用ヒータｈ１が点灯し続けた時は、Ｖ１＝Ｖｒｅｆとなり、小サイズシート用ヒータｈ１が点灯しない状態が続いた時はＶ１＝｛Ｃ１２／（Ｃ１１＋Ｃ１２）｝Ｖｒｅｆとなる。
【０１１９】
大サイズシート用ヒータデューティ比検出回路ＣＴ２は、大サイズシート用ヒータ駆動回路のヒーダオンオフスイッチＳＷ２ａと連動してオンオフするスイッチＳＷ２ｂを有している。前記大サイズシート用ヒータデューティ比検出回路ＣＴ２では、基準電圧源Ｖｒｅｆは直列接続された抵抗Ｒ２２、コンデンサＣ２２およびコンデンサＣ２１を介してアースされている。直列接続されたスイッチＳＷ２ｂおよび抵抗Ｒ２１は、前記直列接続された抵抗Ｒ２２およびコンデンサＣ２２と、並列に接続されている。
前記コンデンサＣ１１とコンデンサＣ１２との接続点の電圧Ｖ２はＡＤＣ２（アナログ／デジタルコンバータ１）に入力されており、ＡＤＣ２でＡ／Ｄ変換（アナログ／デジタル変換）された前記接続点の電圧Ｖ２のデジタル値Ｖ２ｄは、コントローラＣに入力されている。
前記大サイズシート用ヒータデューティ比検出回路ＣＴ２の電圧Ｖ２のデジタル値Ｖ２ｄは、前記小サイズシート用ヒータデューティ比検出回路ＣＴ１の電圧Ｖ１のデジタル値Ｖ１ｄと同様に、前記コンデンサＣ２１，Ｃ２２の容量および抵抗Ｒ２１，Ｒ２２の値を適当に設定することにより前記ＡＤＣ２の出力値Ｖ２ｄを大サイズシート用ヒータｈ２のデューティ比として使用可能である。
なお、大サイズシート用ヒータｈ２が点灯し続けた時は、Ｖ２＝Ｖｒｅｆとなり、大サイズシート用ヒータｈ２が点灯しない状態が続いた時はＶ２＝｛Ｃ２２／（Ｃ２１＋Ｃ２２）｝Ｖｒｅｆとなる。
【０１２０】
この実施の形態２の前記Ｖ１ｄおよびＶ２ｄは前記実施の形態１の小サイズシート用ヒータデューティ比ｔａおよび大サイズシート用ヒータデューティ比ｔｂとして使用可能である。したがって、前記実施の形態１のｔａ，ｔｂを計測する図１３、図１４のフローチャートを省略して、その代わりにこの実施の形態２のデューティ比検出回路ＣＴを使用することが可能である。その場合、実施の形態１の図１５のフローチャートの代わりに、実施の形態２では図２７をフローチャートを使用すればよい。また、この実施の形態２では、前記実施の形態１のデューティ比計測時間ｔｃを計測する必要が無いので、前記実施の形態１のヒータオンオフ時間計測要求フラグＦＬｔを省略される。また、前記実施の形態１の積算時間リセット要求フラグＦＬｒはこの実施の形態２では、デューティ比測定要求フラグＦＬｒとして使用される。
その他の構成は前記実施の形態１と同様である。
【０１２１】
（実施の形態２のフローチャートの説明）
図２７は実施の形態２の画像形成装置のデューティ比計測処理のフローチャートで、前記実施の形態１の図１５に対応するフローチャートであり、前記図１０のＳＴ１２のサブルーチン（４′）である。
ＳＴ１２のサブルーチン（４′）である図２７の処理は前記図１０のＳＴ１２の処理が開始されると同時に開始される。また、図２７のＳＴ１２のサブルーチン（４′）はＳＴ１２の他のサブルーチン（１），（５）〜（８）と並行してマルチタスクで実行される。
なお、図２７のＳＴ（ステップ）番号は前記実施の形態１の図１５のＳＴ（ステップ）番号に対応して付けられている。
【０１２２】
図２７のＳＴ７１において記録すべき画像データが有るか否か判断する。イエス（Ｙ）の場合はＳＴ７５に移る。
ＳＴ７５において、デューティ比測定要求フラグ（実施の形態１では積算時間リセット要求フラグ）ＦＬｒ＝「１」か否か判断する。ノー（Ｎ）の場合は前記ＳＴ７１に戻るる。
前記ＳＴ７５においてイエス（Ｙ）の場合（すなわち、デューティ比測定要求フラグＦＬｒ＝「１」の場合）はＳＴ７６′に移る。
ＳＴ７６′においてＶ１ｄ，Ｖ２ｄを記憶する。
次にＳＴ７７′において、次の処理を実行する。
（１）制御用デューティ比ｄを次式により演算する。
ｄ＝Ｖ２ｄ／（Ｖ１ｄ＋Ｖ２ｄ）
（２）デューティ比測定要求フラグＦＬｒ＝「０」とする。
前記ＳＴ７７の次に前記ＳＴ７１に戻る。
前記ＳＴ７１においてノー（Ｎ）の場合はＳＴ１２のサブルーチン（４′）が終了する。
【０１２３】
前述のように、この実施の形態２では制御用デューティ比ｄはＶ２ｄ／（Ｖ１ｄ＋Ｖ２ｄ）により演算することが可能である。そして、制御用デューティ比ｄを監視することにより、前記実施の形態１と同様に定着ロールの異常な温度上昇を防止することができる。
すなわち、本実施の形態２では、前記実施の形態１と同様に制御用デューティ比ｄが閾値以下になると、冷却処理が実行されるので、温度センサにより検出できない領域に熱量が蓄積されて高温になるのを防止することができる。
【０１２４】
（ヒータおよび温度センサの配置例の説明）
図２８は本発明が採用可能なヒータおよび温度センサの配置例の説明図で、図２８Ａは前記本発明の実施の形態１と同様の配置例を示す図、図２８Ｂはヒータおよび温度センサの配置例の変更例１の説明図、図２８Ｃは同変更例２の説明図、図２８Ｄは同変更例３の説明図である。
図２８Ａにおいて、小サイズシート用ヒータｈ１および大サイズシート用ヒータｈ２の発熱部は、加熱ロールＦｈの軸方向中央部に配置されている。この配置はシートを中央揃えで搬送する場合の配置例であり、この配置例は前記実施の形態１で説明したものと同じ配置例である。この配置例の場合は、設定された小サイズシート幅とほぼ同一長さの小サイズシート用ヒータｈ１と最大シート幅とほぼ同じ長さの大サイズシート用ヒータｈ２とを使用している。そして、前記設定された小サイズシート幅よりも小さい幅を有する小サイズシートを定着する場合は、小サイズシート用ヒータｈ１のみを使用し、前記設定された小サイズシート幅よりも大きい幅の大サイズシートを定着する際、第２温度センサＳＮ２の検出温度Ｔ２が設定値より小さい場合には大サイズシート用ヒータｈ２を点灯し、前記検出温度Ｔ２が設定値より高い場合には小サイズシート用ヒータｈ１を選択して点灯している。
【０１２５】
（ヒータおよび温度センサの配置例の変更例１の説明）
図２８Ｂにおいて、小サイズシート用ヒータｈ１および大サイズシート用ヒータｈ２の発熱部は、加熱ロールＦｈの軸方向端部に偏って配置されている。この配置はシートを端部揃えで搬送する場合の配置例である。この配置例の場合も前記図２８Ａの配置例と同様に、設定された小サイズシート幅とほぼ同一長さの小サイズシート用ヒータｈ１と最大シート幅とほぼ同じ長さの大サイズシート用ヒータｈ２とを使用している。そして、前記設定された小サイズシート幅よりも小さい幅を有する小サイズシートを定着する場合は、小サイズシート用ヒータｈ１のみを使用し、前記設定された小サイズシート幅よりも大きい幅の大サイズシートを定着する際、第２温度センサＳＮ２の検出温度Ｔ２が設定値より小さい場合には大サイズシート用ヒータｈ２を点灯し、前記検出温度Ｔ２が設定値より高い場合には小サイズシート用ヒータｈ１を選択して点灯させる。
【０１２６】
（ヒータおよび温度センサの配置例の変更例２の説明）
図２８Ｃにおいて、小サイズシート用ヒータｈ１の発熱部は、加熱ロールＦｈの軸方向中央部に配置されており、大サイズシート用ヒータｈ２の発熱部は前記小サイズシート用ヒータｈ１の両側に配置されている。この配置はシートを中央揃えで搬送する場合の配置例であり、この配置例の場合は、前記設定された小サイズシート幅よりも小さい幅を有する小サイズシートを定着する場合は、小サイズシート用ヒータｈ１のみを使用し、前記設定された小サイズシート幅よりも大きい幅の大サイズシートを定着する際、第２温度センサＳＮ２の検出温度Ｔ２が設定値より小さい場合には大サイズシート用ヒータｈ２および小サイズシート用ヒータｈ１の両方を点灯し、前記検出温度Ｔ２が設定値より高い場合には小サイズシート用ヒータｈ１を選択して点灯させる。
【０１２７】
（ヒータおよび温度センサの配置例の変更例３の説明）
図２８Ｄにおいて、小サイズシート用ヒータｈ１の発熱部は、加熱ロールＦｈの軸方向端部に偏って配置されており、大サイズシート用ヒータｈ２の発熱部は前記小サイズシート用ヒータｈ１とは反対側に偏って配置されている。この配置はシートを端部揃えで搬送する場合の配置例であり、この配置例の場合は、前記設定された小サイズシート幅よりも小さい幅を有する小サイズシートを定着する場合は、小サイズシート用ヒータｈ１のみを使用し、前記設定された小サイズシート幅よりも大きい幅の大サイズシートを定着する際、第２温度センサＳＮ２の検出温度Ｔ２が設定値より小さい場合には大サイズシート用ヒータｈ２および小サイズシート用ヒータｈ１の両方を点灯し、前記検出温度Ｔ２が設定値より高い場合には小サイズシート用ヒータｈ１を選択して点灯させる。
【０１２８】
図２９は本発明が採用可能なヒータおよび温度センサの配置例の説明図で、図２９Ａは前記図２８Ａの配置例に中間サイズシート用ヒータおよび第３温度センサを付加した配置例の変更例４の説明図、図２９Ｂは小サイズシート用ヒータの発熱部の長さが設定した小サイズシート幅よりも長く設定し且つその両端部の発熱部の発熱量は少なく設定されているヒータ配置例の変更例５の説明図である。（ヒータおよび温度センサの配置例の変更例４の説明）
図２９Ａにおいて、小サイズシート用ヒータｈ１、大サイズシート用ヒータｈ２および前記両ヒータｈ１，ｈ２の中間の長さを有する中間サイズシート用ヒータｈ３の発熱部は、加熱ロールＦｈの軸方向中央部に配置されている。この配置はシートを中央揃えで搬送する場合の配置例であり、この配置例の場合は、設定された小サイズシート幅とほぼ同一長さの小サイズシート用ヒータｈ１と、最大シート幅とほぼ同じ長さの大サイズシート用ヒータｈ２と、設定された中間シートサイズ幅とほぼ同一長さの中間サイズシート用ヒータｈ３とを使用している。
【０１２９】
そして、前記設定された小サイズシート幅よりも小さい幅を有する小サイズシートを定着する場合は、小サイズシート用ヒータｈ１のみを使用し、前記設定された小サイズシート幅よりも大きい幅で且つ設定された中間サイズシート幅より狭い幅の中間サイズシートを定着する場合には第３温度センサＳＮ３の検出温度Ｔ３が設定値より小さい場合には中間サイズシート用ヒータｈ３を点灯し、前記検出温度Ｔ３が設定値より高い場合には小サイズシート用ヒータｈ１を選択して点灯している。また、前記設定された中間サイズシート幅よりも大きい幅の大サイズシートを定着する際、第２温度センサＳＮ２の検出温度Ｔ２が設定値より小さい場合には大サイズシート用ヒータｈ２を点灯し、前記検出温度Ｔ２が設定値より高い場合には小サイズシート用ヒータｈ１または中間サイズシート用ヒータｈ３のいずれかを選択して点灯する。
【０１３０】
（ヒータおよび温度センサの配置例の変更例５の説明）
図２９Ｂにおいて、小サイズシート用ヒータｈ１および大サイズシート用ヒータｈ２の発熱部は、加熱ロールＦｈの軸方向中央部に配置されている。この配置はシートを中央揃えで搬送する場合の配置例である。この配置例の場合は、設定された小サイズシート幅よりも少し長い小サイズシート用ヒータｈ１と最大シート幅とほぼ同じ長さの大サイズシート用ヒータｈ２とを使用している。そして、前記設定された小サイズシート幅よりも小さい幅を有する小サイズシートを定着する場合は、小サイズシート用ヒータｈ１のみを使用し、前記設定された小サイズシート幅よりも大きい幅の大サイズシートを定着する際、第２温度センサＳＮ２の検出温度Ｔ２が設定値より小さい場合には大サイズシート用ヒータｈ２を点灯し、前記検出温度Ｔ２が設定値より高い場合には小サイズシート用ヒータｈ１を選択して点灯している。
この配置例の場合は、設定された小サイズシート幅よりも少し長い小サイズシート用ヒータｈ１の端部の発熱量は、中央部分に比較して小さく設定されている。このような発熱量の少ない端部を設けることにより、小サイズシートの端部の定着不良の発生を防止することができる。
【０１３１】
（変更例）
以上、本発明の実施の形態を詳述したが、本発明は、前記実施の形態に限定されるものではなく、特許請求の範囲に記載された本発明の要旨の範囲内で、種々の変更を行うことが可能である。本発明の変更実施の形態を下記に例示する。
（Ｈ０１）デューティ比の計測は実施の形態１のようにレジロールの回転開始時にデューティ比計測を終了すると同時に次のデューティ比計測開始を行っているが、レジロール、転写領域Ｑ４、定着ニップＱ５の上流側または下流側等のシート搬送路の途中に配置したシートセンサがシート先端または後端を検出した時、給紙開始時等に、デューティ比計測を終了すると同時に次のデューティ比計測開始を行うように構成することが可能である。
（Ｈ０２）前記デューティ比の計測の終了時および開始時を同時に実行する代わりに、デューティ比の計測終了時から所定時間経過後にデューティ比計測を開始することが可能である。その場合例えば、次のようにすることが可能である。
（Ｈ０２ａ）レジロールの上流側に配置したセンサがシート前端を検出した時にデューティ比の計測を終了し、レジロールが回転開始した時に次のデューティ比の計測を開始する。
（Ｈ０２ｂ）シート搬送路途中に配置したセンサがシート前端を検出した時にデューティ比の計測を終了し、前記シート前端を検出したセンサの下流側に配置した他のセンサが前記シート前端をを検出した時に次のデューティ比の計測を開始する。
（Ｈ０２ｃ）給紙開始時にデューティ比の計測を終了し、シート搬送路途中に配置したセンサがシート前端を検出した時に次のデューティ比の計測を開始する。
（Ｈ０３）待機モードの経過後に全ヒータをオフにする代わりに、定着ニップの温度を８０℃に保持するようにヒータをオンオフ制御するスリープモードを設けることが可能である。
（Ｈ０４）本発明は複写機以外の画像形成装置、例えばプリンタ、ＦＡＸ等にも適用することが可能である。プリンタに適用した場合には、複写機のコピースタートキーＵＩ２の入力信号の代わりに、プリントスタートコマンドが入力されたか否かによりジョブ開始信号の入力が有ったか否かを判断することができる。
（Ｈ０５）前記実施の形態１においては、デューティ比が閾値以下になったときにジョブを中断して冷却処理を実行しているが、ジョブの中断および冷却処理を実行する代わりに、シートの搬送間隔を長く（ＰＳＫパルスの出力間隔を長く）設定して画像記録速度を低下させることにより定着ニップの温度上昇を防止することも可能である。
【０１３２】
【発明の効果】
前述の本発明の画像形成装置は、下記の効果（Ｅ０１）を奏することができる。
（Ｅ０１）定着温度センサで検出できない部分での熱量の蓄積による高温部分が発生するのを防止することができる。
【図面の簡単な説明】
【図１】図１は本発明の画像形成装置の実施の形態１の説明図である。
【図２】図２は前記図１に示す定着装置の拡大図である。
【図３】図３は前記図２のＩＩＩ−ＩＩＩ線断面図である。
【図４】図４は加熱ロールおよび前記加熱ロール内部のヒータｈ１、ｈ２の発熱量分布図である。
【図５】図５は本発明の画像形成装置の実施の形態１の制御部分が備えている各機能をブロックで示した機能ブロック図である。
【図６】図６は本発明の画像形成装置の実施の形態１の制御部分が備えている各機能をブロックで示した機能ブロック図であり、前記図５の続きの部分を示す図である。
【図７】図７はデューティ比測定枚数基準設定値およびデューティ比閾値記憶テーブルである。
【図８】図８は冷却制御期間決定用データ記憶テーブルの説明図である。
【図９】図９は実施の形態１の画像形成装置の各トレイに収容されたシートの種類およびサイズを設定する処理のフローチャートであり、図９Ａはシート種類設定処理、図９Ｂはシートサイズ設定処理のフローチャートである。
【図１０】図１０は実施の形態１の画像形成装置の画像記録処理のメインルーチンのフローチャートである。
【図１１】図１１は前記ＳＴ１２のサブルーチン（１）であり、デューティ比異常判別処理のフローチャートである。
【図１２】図１２は図１１の前記ＳＴ１２のサブルーチン（１）であり、前記図１１の続きのフローチャートである。
【図１３】図１３は前記ＳＴ１２のサブルーチン（２）であり、小サイズシート用ヒータｈ１のオン時間（ｔａ）の積算処理のフローチャートである。
【図１４】図１４は前記ＳＴ１２のサブルーチン（３）であり、大サイズシート用ヒータｈ２のオン時間（ｔｂ）の積算処理のフローチャートである。
【図１５】図１５は前記ＳＴ１２のサブルーチン（４）であり、デューティ比計測時間（ｔｃ）の計測処理およびデューティ比ｄの計測処理のフローチャートである。
【図１６】図１６は前記ＳＴ１２のサブルーチン（５）であり、プリントスタート基準信号ＰＳＫの出力制御処理のフローチャートである。
【図１７】図１７は前記ＳＴ１２のサブルーチン（６）であり、ジョブ実行時の各頁ｍ（ｍ＝１，２，…）の画像記録動作開始指示信号出力制御処理のフローチャートである。
【図１８】図１８は前記ＳＴ１２のサブルーチン（７）であり、ジョブ実行時の各頁番号ｍの画像記録動作の制御処理のフローチャートである。
【図１９】図１９は前記ＳＴ１２のサブルーチン（８）であり、ジョブ実行時のヒータ制御処理のフローチャートである。
【図２０】図２０は前記ＳＴ１２のサブルーチン（８）で、ジョブ実行時のヒータ制御処理のフローチャートであり、前記図１９の続きのフローチャートである。
【図２１】図２１は前記図１０のＳＴ１４のサブルーチンであり、待機モード時ヒータ制御処理のサブルーチンである。
【図２２】図２２は前記図１０のＳＴ１９のサブルーチンであり、第１イレーズモードの制御処理のサブルーチンである。
【図２３】図２３は前記図１０のＳＴ１８のサブルーチンであり、第２イレーズモードの制御処理のサブルーチンである。
【図２４】図２４は前記構成を備えた実施の形態１のタイムチャートである。
【図２５】図２５は制御用デューティ比の検出値によりヒータのオンオフ制御をする場合の有効性を説明するために、使用するシートサイズがＡ４ＬＥＦである場合（大サイズシート用ヒータｈ２および小サイズシート用ヒータｈ１を交互に点灯して定着温度制御するシートサイズの場合）に、シートサイズを正常にＡ４ＬＥＦに設定した場合（正常操作の場合）と、誤操作によりシート幅８０ｍｍ（小サイズシート用ヒータｈ１のみを点灯制御して定着温度制御すべきシート幅）に設定した場合の定着温度推移およびデューティ比推移を示す図であり、図２５Ａは正常操作の場合の定着温度推移を示す図、図２５Ａは誤操作の場合の定着温度推移を示す図、図２５Ｃは正常操作の場合のデューティ比推移を示す図、図２５Ｄは誤操作の場合のデューティ比推移を示す図である。
【図２６】図２６は本発明の画像形成装置の実施の形態２の要部説明図であり、制御デューティ比を演算するための大サイズシート用ヒータおよび小サイズシート用ヒータのデューティ比を検出するデューティ比検出回路の説明図である。
【図２７】図２７は実施の形態２の画像形成装置のデューティ比計測処理のフローチャートで、前記実施の形態１の図１５に対応するフローチャートであり、前記図１０のＳＴ１２のサブルーチン（４′）である。
【図２８】図２８は本発明が採用可能なヒータおよび温度センサの配置例の説明図で、図２８Ａは前記本発明の実施の形態１と同様の配置例を示す図、図２８Ｂはヒータおよび温度センサの配置例の変更例１の説明図、図２８Ｃは同変更例２の説明図、図２８Ｄは同変更例３の説明図である。
【図２９】図２９は本発明が採用可能なヒータおよび温度センサの配置例の説明図で、図２９Ａは前記図２８Ａの配置例に中間サイズシート用ヒータおよび第３温度センサを付加した配置例の変更例４の説明図、図２９Ｂは小サイズシート用ヒータの発熱部の長さが設定した小サイズシート幅よりも長く設定し且つその両端部の発熱部の発熱量は少なく設定されているヒータ配置例の変更例５の説明図である。
【符号の説明】
Ｃ４Ｃ…デューティ比閾値記憶手段、
Ｃ５…デューティ比測定手段、
Ｃ７…冷却動作実行手段、
Ｃ８…ヒータ制御手段、
ｄ…デューティ比、
ｄ０…デューティ比閾値、
Ｆ…定着装置、
Ｆｈ，Ｆｐ…定着用回転部材、
ｈ１，ｈ２…ヒータ、
Ｑ５…定着ニップ、
ＳＨ…シート搬送装置、
ＳＮ１，ＳＮ２…温度センサ、
Ｔ１…検出温度、
（Ｔ１ｊａ≦Ｔ１≦Ｔ１ｊｂ）…所定の加熱定着温度、
ＴＭａ：小サイズシート用ヒータｈ１点灯時間検出手段
ＴＭｂ：大サイズシート用ヒータｈ２点灯時間検出時間
【図１】
2004354416.tif 000003
【図２】
2004354416.tif 000004
【図３】
2004354416.tif 000005
【図４】
2004354416.tif 000006
【図５】
2004354416.tif 000007
【図６】
2004354416.tif 000008
【図７】
2004354416.tif 000009
【図８】
2004354416.tif 000010
【図９】
2004354416.tif 000011
【図１０】
2004354416.tif 000012
【図１１】
2004354416.tif 000013
【図１２】
2004354416.tif 000014
【図１３】
2004354416.tif 000015
【図１４】
2004354416.tif 000016
【図１５】
2004354416.tif 000017
【図１６】
2004354416.tif 000018
【図１７】
2004354416.tif 000019
【図１８】
2004354416.tif 000020
【図１９】
2004354416.tif 000021
【図２０】
2004354416.tif 000022
【図２１】
2004354416.tif 000023
【図２２】
2004354416.tif 000024
【図２３】
2004354416.tif 000025
【図２４】
2004354416.tif 000026
【図２５】
2004354416.tif 000027
【図２６】
2004354416.tif 000028
【図２７】
2004354416.tif 000029
【図２８】
2004354416.tif 000030
【図２９】
2004354416.tif 000031
【手続補正書】
【提出日】平成15年6月9日(2003.6.9)
【手続補正１】
【補正対象書類名】図面
【補正対象項目名】全図
【補正方法】変更
【補正の内容】
【図１】
2004354416.tif 000032
【図２】
2004354416.tif 000033
【図３】
2004354416.tif 000034
【図４】
2004354416.tif 000035
【図５】
2004354416.tif 000036
【図６】
2004354416.tif 000037
【図７】
2004354416.tif 000038
【図８】
2004354416.tif 000039
【図９】
2004354416.tif 000040
【図１０】
2004354416.tif 000041
【図１１】
2004354416.tif 000042
【図１２】
2004354416.tif 000043
【図１３】
2004354416.tif 000044
【図１４】
2004354416.tif 000045
【図１５】
2004354416.tif 000046
【図１６】
2004354416.tif 000047
【図１７】
2004354416.tif 000048
【図１８】
2004354416.tif 000049
【図１９】
2004354416.tif 000050
【図２０】
2004354416.tif 000051
【図２１】
2004354416.tif 000052
【図２２】
2004354416.tif 000053
【図２３】
2004354416.tif 000054
【図２４】
2004354416.tif 000055
【図２５】
2004354416.tif 000056
【図２６】
2004354416.tif 000057
【図２７】
2004354416.tif 000058
【図２８】
2004354416.tif 000059
【図２９】
2004354416.tif 000060